(57)【要約】【課題】ポリマー発泡体のスラブの異なる領域は、スラブ全体としての柔軟性と応答性とのバランスを取るために、密度、硬度、エネルギー戻り量、及び、材料の選択を変え得るが、柔軟性から徐々に応答性を高くするポリマー発泡体の単一のスラブを製造することは難しい。  【解決手段】フットウェア物品は、アッパーと、アッパーに取り付けられたアウトソールと、ミッドソールと、を有する。アウトソールは、接地面と反対側に配置される内面とを含む。ミッドソールは、フットベッドと反対側に配置された底面とを有する。底面は内面と対向してその間にキャビティを画定する。フットウェア物品はまた、内面及び底面の一方から内面及び底面の他方に向かって第１の方向にキャビティ内に延在する第１の一連の突起を含む。フットウェア物品はまた、内面及び底面の一方から内側面及び底面の他方に向かって第１の方向にキャビティ内に延在する第２の一連の突起を含む。フットウェア物品はまた、キャビティ内に配置された所定量の粒状物質を含む。【選択図】図２
2020179262.tif 000002
【特許請求の範囲】
【請求項１】
アッパー；
前記アッパーに取り付けられたアウトソールであって、接地面と、前記接地面とは前記アウトソールの反対側に配置された内面と、を含む、アウトソール；
フットベッドと底面とを有するミッドソールであって、前記底面は、前記フットベッドとは前記ミッドソールの反対側に配置され、かつ、前記アウトソールの内面と対向してその間にキャビティを画定する、ミッドソール；
フットウェア物品のヒール部分に近接して配置され、前記内面及び前記底面の一方から、前記内面及び前記底面の他方に向かって第１の方向に前記キャビティに延在する第１の一連の突起であって、該第１の一連の突起は、前記内面及び前記底面の前記他方から離間されている、第１の一連の突起；
フットウェア物品のフォアフット部分に近接して配置され、前記内面及び前記底面の前記一方から前記内面及び前記底面の前記他方に向かって前記キャビティ内に延在する第２の一連の突起であって、前記第１の一連の突起の高さとは異なる高さを有し、前記内面及び前記底面の前記他方から離間され、前記第１の一連の突起が、該第２の一連の突起よりも前記内面及び前記底面の前記一方からより遠くに延在している、第２の一連の突起；及び、
キャビティ内に配置された所定量の発泡ビーズ；
を備えていることを特徴とする、フットウェア物品。
【請求項２】
前記内面及び前記底面の前記一方は、前記内面であり、前記所定量の発泡ビーズは、前記第１の一連の突起の基部の周り、及び、前記第２の一連の突起の基部の周りに配置されていることを特徴とする、請求項１に記載のフットウェア物品。
【請求項３】
前記第１の一連の突起は、前記第１の方向において減少する断面積を含むことを特徴とする、請求項１または２に記載のフットウェア物品。
【請求項４】
前記第２の一連の突起は、前記第１の方向において減少する断面積を含むことを特徴とする、請求項１〜３のいずれか一項に記載のフットウェア物品。
【請求項５】
前記第１の一連の突起及び前記第２の一連の突起は、継続的に先細の外面を含むことを特徴とする、請求項１〜４のいずれか一項に記載のフットウェア物品。
【請求項６】
前記先細の外面は、前記内面及び前記底面の前記他方に対向する各突起の丸みを帯びた遠位端で終端することを特徴とする、請求項５に記載のフットウェア物品。
【請求項７】
前記発泡ビーズは、球形を含むことを特徴とする請求項１に記載のフットウェア物品。
【請求項８】
前記発泡ビーズは、同一サイズ及び形状を含むことを特徴とする、請求項１に記載のフットウェア物品。
【請求項９】
前記発泡ビーズは、異なるサイズ及び形状の少なくとも１つを含むことを特徴とする、請求項１に記載のフットウェア物品。
【請求項１０】
前記第１の一連の突起及び前記第２の一連の突起は、前記アウトソールのミッドフット部分に近接して配置されたボイドによって互いに離間されていることを特徴とする、請求項１〜９のいずれか一項に記載のフットウェア物品。
【請求項１１】
アッパー；
前記アッパーに取り付けられたアウトソールであって、前記アウトソールは、接地面と、前記接地面とは前記アウトソールの反対側に配置された内面と、を含み、前記内面は、前記アウトソールのヒール部分に近接して配置され、前記アッパーに向かう方向に前記アウトソールの前記内面から延在する第１の一連の突起（i）と、前記アウトソールのフォアフット部分に近接して配置され、前記アッパーに向かう方向に延在し、前記第１の一連の突起とは異なる高さを有し、前記第１の一連の突起が、第２の一連の突起よりも前記内面及び底面の一方からより遠くに延在している、第２の一連の突起（ii）と、を含む、アウトソール；
フットベッド及び底面を有するミッドソールであって、前記底面は、前記フットベッドとは前記ミッドソールの反対側に配置されており、前記底面は、前記アウトソールの前記内面に対向してその間にキャビティを画定し、前記底面は、前記第１の一連の突起及び前記第２の一連の突起から離間されている、ミッドソール；及び、
前記キャビティ内に配置された所定量の発泡ビーズ；
を備えていることを特徴とする、フットウェア物品。
【請求項１２】
前記第１の一連の突起は、前記アウトソールから前記ミッドソールに向かって延在する方向において減少する断面積を含むことを特徴とする、請求項１１に記載のフットウェア物品。
【請求項１３】
前記第２の一連の突起は、前記アウトソールから前記ミッドソールに向かって延在する方向に減少する断面積を含むことを特徴とする、請求項１１または１２に記載のフットウェア物品。
【請求項１４】
前記第１の一連の突起及び前記第２の一連の突起は、継続的に先細の外面を含むことを特徴とする、請求項１１〜１３のいずれか一項に記載のフットウェア物品。
【請求項１５】
前記先細の外面は、前記ミッドソールの底面に対向する各突起の丸みを帯びた遠位端で終端していることを特徴とする、請求項１４に記載のフットウェア物品。
【請求項１６】
前記発泡ビーズは、球形を含むことを特徴とする、請求項１１に記載のフットウェア物品。
【請求項１７】
前記発泡ビーズは、同一の大きさ及び形状を含むことを特徴とする、請求項１３のフットウェア物品。
【請求項１８】
前記発泡ビーズは、異なるサイズ及び形状の少なくとも１つを含むことを特徴とする、請求項１１のフットウェア物品。
【請求項１９】
前記第１の一連の突起及び前記第２の一連の突起は、前記アウトソールのミッドフット部分に近接して配置されたボイドによって互いに離間されていることを特徴とする、請求項１１〜１８のいずれか一項に記載のフットウェア物品。
【請求項２０】
アッパー；
フットベッド及び底面を有するミッドソールであって、前記底面は、前記フットベッドとは前記ミッドソールの反対側に配置されており、前記底面は、アウトソールのヒール部分に対向し、前記アッパーから離れる方向に前記底面から延在する第１の一連の突起（i）と、前記アウトソールのフォアフット部分に対向し、前記アッパーから離れる方向に前記底面から延在し、前記第１の一連の突起とは異なる高さを有する第２の一連の突起であって、前記第１の一連の突起が、該第２の一連の突起よりも内面及び前記底面の一方からより遠くに延在している、第２の一連の突起（ii）と、を含む、ミッドソール；
前記アッパーに取り付けられたアウトソールであって、前記アウトソールは、接地面と、前記接地面とは前記アウトソールの反対側に配置された内面と、を含み、前記内面は、前記ミッドソールの底面に対向し、前記底面と協働して、その間にキャビティを画定し、かつ、前記第１の一連の突起及び前記第２の一連の突起から離間されている、アウトソール；及び、
前記キャビティ内に配置された所定量の発泡ビーズ；
を備えていることを特徴とする、フットウェア物品。
【請求項２１】
前記第１の一連の突起は、前記ミッドソールから前記アウトソールに向かって延在する方向において減少する断面積を含むことを特徴とする、請求項２０に記載のフットウェア物品。
【請求項２２】
前記第２の一連の突起が、前記ミッドソールから前記アウトソールに向かって延在する方向に減少する断面積を含むことを特徴とする、請求項２０または２１に記載のフットウェア物品。
【請求項２３】
前記第１の一連の突起及び前記第２の一連の突起は、継続的に先細の外面を含むことを特徴とする、請求項２０〜２２のいずれか一項に記載のフットウェア物品。
【請求項２４】
前記先細の外面は、前記アウトソールの内面に対向する各突起の丸みを帯びた遠位端で終端していることを特徴とする、請求項２３に記載のフットウェア物品。
【請求項２５】
前記発泡ビーズは、球形を含むことを特徴とする、請求項２０に記載のフットウェア物品。
【請求項２６】
前記発泡ビーズは、同一の大きさ及び形状を含むことを特徴とする、請求項２０のフットウェア物品。
【請求項２７】
前記発泡ビーズは、異なるサイズ及び形状の少なくとも１つを含むことを特徴とする、請求項２０のフットウェア物品。
【請求項２８】
前記第１の一連の突起及び前記第２の一連の突起は、前記アウトソールのミッドフット部分に対向するボイドによって互いに離間されていることを特徴とする、請求項２０〜２７のいずれか一項に記載のフットウェア物品。
【請求項２９】
フットウェア物品を製造する方法であって、
フットベッドとアウトソールとの間にキャビティを設けるステップと、
前記フットベッド及び前記アウトソールの一方に第１の一連の突起を設けるステップであって、前記第１の一連の突起は、当該フットウェア物品のヒール部分に近接して配置され、前記フットベッド及び前記アウトソールの他方に向かって第１の方向において前記キャビティ内に延在し、前記第１の一連の突起は、前記フットベッド及び前記アウトソールの前記他方から離間されている、ステップ；
前記フットベッド及び前記アウトソールとの前記一方に第２の一連の突起を設けるステップであって、前記第２の一連の突起は、当該フットウェア物品のフォアフット部分に近接して配置され、前記フットベッド及び前記アウトソールの前記他方に向かって前記第１の方向において前記キャビティ内に延在し、前記第２の一連の突起は、前記フットベッド及び前記アウトソールの前記他方から離間されており、かつ、前記第１の一連の突起よりも異なる高さを有し、前記第１の一連の突起が、前記第２の一連の突起よりも前記フットベッド及び前記アウトソールの一方からより遠くに延在している、ステップ；及び
前記キャビティに所定量の発泡ビーズを供給するステップ；
を含んでなることを特徴とする、方法。
【請求項３０】
前記第１の一連の突起を設けるステップ及び前記第２の一連の突起を設けるステップは、前記アウトソールに前記第１の一連の突起及び前記第２の一連の突起を設けるステップを含むことを特徴とする、請求項２９に記載の方法。
【請求項３１】
前記キャビティに所定量の発泡ビーズを供給するステップは、前記所定量の発泡ビーズを前記第１の一連の突起の基部の周り及び前記第２の一連の突起の基部の周りに供給するステップを含むことを特徴とする、請求項３０に記載の方法。
【請求項３２】
前記フットベッド及び前記アウトソールの一方に前記第１の一連の突起を設けるステップは、第１の一連の突起に、前記フットベッド及び前記アウトソールの他方に向かう方向において減少する断面積を設けるステップを含むことを特徴とする、請求項２９〜３１のいずれか一項に記載の方法。
【請求項３３】
前記フットベッド及び前記アウトソールの一方に前記第２の一連の突起を設けるステップは、前記第２の一連の突起を、前記フットベッド及び前記アウトソールの他方に向かう方向において減少する断面積を設けるステップを含むことを特徴とする、請求項２９〜３２のいずれか一項に記載の方法。
【請求項３４】
前記フットベッド及び前記アウトソールの一方に前記第１の一連の突起及び前記第２の一連の突起を設けるステップは、前記第１の一連の突起及び前記第２の一連の突起に、継続的に先細の外面を設けるステップを含むことを特徴とする、請求項２９〜３３のいずれか一項に記載の方法。
【請求項３５】
前記キャビティに前記所定量の発泡ビーズを供給するステップは、球形の形状を有する所定量の発泡ビーズを前記キャビティに供給するステップを含むことを特徴とする、請求項２９に記載の方法。
【請求項３６】
前記キャビティに所定量の発泡ビーズを供給するステップは、前記キャビティに同一の大きさ及び形状を含む所定量の発泡ビーズを提供するステップを含むことを特徴とする、請求項２９に記載の方法。
【請求項３７】
前記キャビティに所定量の発泡ビーズを供給するステップは、前記キャビティに異なるサイズ及び形状の少なくとも１つを含む所定量の発泡ビーズを供給するステップを含むことを特徴とする、請求項２９に記載の方法。
【請求項３８】
前記第１の一連の突起及び前記第２の一連の突起を前記フットベッド及び前記アウトソールの一方に設けるステップは、前記アウトソールのミッドフット部分に近接して、前記第１の一連の突起と前記第２の一連の突起との間にボイドを設けるステップを含むことを特徴とする、請求項２９〜３７のいずれか一項に記載の方法。
【発明の詳細な説明】
【技術分野】
【０００１】
［関連出願への相互参照］
本出願は、２０１５年９月２４日に出願された米国仮出願第６２／２２２，８２２号、２０１５年９月２４日に出願された米国仮出願第６２／２２２，８７３号、２０１５年９月２４日に出願された米国仮出願第６２／２２２，８５１号、２０１５年９月２４日に出願された米国仮出願第６２／２２２，８４２号、２０１５年９月２４日に出願された米国仮出願第６２／２２２，８３２号、及び、２０１５年９月２４日に出願された６２／２２２，８１６号に記載されており、これらの開示は、参照によりその全体が本明細書に組み込まれる。
【０００２】
［分野］
本開示は、別のクッション性と組み合わされた粒状発泡体を有するフットウェア物品に関する。
【背景技術】
【０００３】
このセクションは、必ずしも先行技術ではない、本開示に関する背景情報を提供する。
【０００４】
フットウェア物品は、従来、アッパー及びソール構造を含む。アッパーは、ソール構造に足を受け入れ、固定し、支持するための任意の適切な材料から形成され得る。アッパーは、靴ひも、ストラップ、または他のファスナと協働して、アッパーの足周囲への適合を調整し得る。足の裏に近接するアッパーの底部分が、ソール構造に取り付けられる。
【０００５】
ソール構造は、一般的に、地面とアッパーとの間に延在する層状構造を含む。ソール構造の１つの層は、耐摩耗性と地面との静止摩擦をもたらすアウトソールを含む。アウトソールは、耐久性及び耐摩耗性を付与するゴムまたは他の材料から形成され得るとともに、地面との静止摩擦を高め得る。ソール構造の別の層は、アウトソールとアッパーとの間に配置されるミッドソールを含む。ミッドソールは、足へのクッション性を提供し、一般的に少なくとも部分的に、地面反力を減衰させることによって足への衝撃を和らげるために荷重がかかったときに弾力的に圧縮するポリマー発泡体材料から形成される。ミッドソールは、アウトソールに対向する一方の面に底面を画定し、他方の面に足の裏の形状に一致するように輪郭が決められるフットベッドを画定し得る。ソール構造はまた、快適性向上インソール及び／またはアッパーの底部分に近接するボイド内に位置するソックスライナーを含み得る。
【０００６】
ポリマー発泡体材料を使用するミッドソールは、一般的に、歩行または走行運動中などのにかかる荷重下で弾力的に圧縮する単一のスラブとして構成される。一般的に、単一のスラブポリマー発泡体は、スラブが勾配荷重下で圧縮する際の柔軟性及び応答性に関連するバランスのとれたクッション特性に重点を置いて設計される。軟らかすぎるクッション性をもたらすポリマー発泡体は、繰り返し圧縮後の地面反力を減衰させる圧縮性及びミッドソールの能力を低下させる。逆に、硬過ぎる、従って非常に応答性が高いのポリマー発泡体は、柔軟性を犠牲にし、これによって快適性が失われる。ポリマー発泡体のスラブの異なる領域は、スラブ全体としての柔軟性と応答性とのバランスを取るために、密度、硬度、エネルギー戻り量、及び、材料の選択を変え得るが、柔軟性から徐々に応答性を高くするポリマー発泡体の単一のスラブを製造することは難しい。
【０００７】
本明細書に記載される図面は、選択された構成のみを説明するためのものであり、本開示の範囲を限定することを意図するものではない。
【図面の簡単な説明】
【０００８】
【図１】本開示の原理によるフットウェア物品の上面斜視図である。
【図２】アウトソールの内面からミッドソールの底面に向かって延在する突起を示す、図１のフットウェア物品の分解図である。
【図３】アウトソールの内面からミッドソールの底面に向かって延在する突起と、内面の突起の基部の周りに配置された粒状物質と、を示す、図１の線３−３に沿った断面図である。
【図４】本開示の原理によるフットウェア物品の上面斜視図である。
【図５】ミッドソールの底面からアウトソールの内面に向かって延在する突起を示す、図４のフットウェア物品の分解図である。
【図６】ミッドソールの底面からアウトソールの内面に向かって延在する第１の一連の突起及び第２の一連の突起と、アウトソールの内面に配置された粒状物質と、を示す、図４の線６−６に沿った断面図である。
【図７】ミッドソールの底面からアウトソールの内面に向かって延在する第１の一連の突起及び第２の一連の突起と、アウトソールの内面に配置された粒状物質と、を示す、図４の線６−６に沿った断面図である。
【図８】本開示の原理によるフットウェア物品の上面斜視図である。
【図９】所定量の粒状物質を受容するためのハニカム形状の区画を画定するアウトソールの内面から延在する突起を示す、図８のフットウェア物品の分解図である。
【図１０】アウトソールの内面からミッドソールの底面に向かって延在し、底面との接点で終端する突起を示す、図８の線１０−１０に沿った断面図である。
【図１１】アウトソールの内面からミッドソールの底面に向かって延在する突起を示す、図８の線１０−１０に沿った部分断面図である。
【図１２】本開示の原理によるフットウェア物品の底面斜視図である。
【図１３】ソール構造のアウトソールとミッドソールとの間に配置されたケーシング内に存在する粒状物質を示す、図１２のフットウェア物品の分解図である。
【図１４】ソール構造が静止している際の、ソール構造のアウトソールとミッドソールとの間に配置されたケーシング内に存在する粒状物質を示す、図１２の線１４−１４に沿った断面図である。
【図１５】ソール構造が屈曲している際の、ソール構造のアウトソールとミッドソールとの間に配置されたケーシング内に存在する粒状物質を示す、図１２の線１４−１４に沿った断面図である。
【図１６】本開示の原理によるフットウェア物品の底面斜視図である。
【図１７】ソール構造のキャビティ内に存在する粒状物質を示す、図１６の線１７−１７に沿った、図１６のフットウェア物品のヒール領域の断面図である。
【図１８】ソール構造のキャビティ内に存在する粒状物質を示す、図１６の線１８−１８に沿った、図１６のフットウェア物品のフォアフット領域の部分断面図である。
【図１９】本開示の原理によるフットウェア物品の底面斜視図である。
【図２０】アウトソールの内面からミッドソールの底面に向かって延在する突起プレートを示す、図１９のフットウェア物品の分解図である。
【図２１】アウトソールの内面からミッドソールの底面に向かって延在する突起プレートと、突起プレートを介して延在する開口部内に存在する粒状物質と、を示す、図１９の線２１−２１に沿った、図１９のフットウェア物品の部分断面図である。
【図２２】本開示の原理によるフットウェア物品の上面斜視図である。
【図２３】アウトソールの内面からミッドソールの底面に向かって延在する突起と、突起上に配置された粒状物質を含む房状ケーシング（tufted casing）と、を示す、図２２のフットウェア物品の分解図である。
【図２４】アウトソールの内面からミッドソールの底面に向かって延在する突起と、突起上に配置された粒状物質を含む房状ケーシングと、を示す、図２２の線２４−２４に沿った部分断面図である。
【図２５】本開示の原理によるフットウェア物品の上面斜視図である。
【図２６】、粒状物質を含む房状ケーシングと、キャビティ内に受容され、ミッドソールの底面に向かってアウトソールの内面から延在する突起上に配置されたクッション層と、を示す、図２５のフットウェア物品の分解図である。
【図２７】粒状物質を含む房状ケーシングと、キャビティ内に受容され、ミッドソールの底面に向かってアウトソールの内面から延在する突起上に配置されたたクッション層と、を示す、図２５の線２７−２７に沿った断面図である。
【図２８】本開示の原理によるフットウェア物品の上面斜視図である。
【図２９】アウトソールの内面に配置されたクッション層と、クッション層とミッドソールの底面との間に配置された粒状物質と、を含むソール構造を示す、図２８の線２９−２９に沿った断面図である。
【図３０】本開示の原理によるフットウェア物品の上面斜視図である。
【図３１】アウトソールの内面に配置された流体充填チャンバと、流体充填チャンバとミッドソールの底面との間に配置された粒状物質と、を含むソール構造を示す、図３０の線３１−３１に沿った断面図である。
【図３２】本開示の原理によるフットウェア物品の上面斜視図である。
【図３３】アウトソールの内面上に配置された流体充填チャンバと、流体充填チャンバとミッドソールの底面との間に配置された粒状物質と、を含むソール構造を示す、線３３−３３に沿った図３２の断面図である。
【図３４】本開示の原理によるフットウェア物品の上面斜視図である。
【図３５】ミッドソールの底面に向かってキャビティ内に延在する一連のアッパーリッジを画定するアウトソールの内面と、アウトソールのアッパーリッジ上に配置された粒状物質を含む房状ケーシングと、を示す、線３５−３５に沿った、図３４の部分断面図である。
【図３６】本開示の原理によるフットウェア物品の上面斜視図である。
【図３７】粒状物質を含む房状ケーシングと、キャビティ内に受容されミッドソールの底面に向かってキャビティ内に延在するアウトソールの内面によって画成されたアッパーリッジ上に配置されたクッション層と、を示す、線３７−３７に沿った図３６の部分断面図である。
【発明を実施するための形態】
【０００９】
対応する符号は、図面全体に亘って対応する部品を示す。
【００１０】
例示的な構成が、添付の図面を参照してより完全に説明される。例示的な構成は、本開示が徹底され、本開示の範囲を当業者に完全に伝えるように提供される。特定の詳細は、本開示の構成の完全な理解をもたらすために、特定の構成要素、装置、及び方法の例などのように記載される。特定の詳細が採用される必要はなく、その構成例は多くの異なる形態で実施され得、特定の詳細及び構成例は本発明の範囲を限定するものではないことは当業者には明らかであろう。
【００１１】
本明細書で使用する用語は、特定の例示的な構成のみを説明するためのものであり、限定することを意図するものではない。本明細書で使用されるように、単数の冠詞「ａ」、「ａｎ」及び「ｔｈｅ」は、文脈が他に明白に示さない限り、複数形も含むことが意図されている。「備える」、「備えている」、「含む」、及び「有する」という用語は、包括的であり、従って、特徴、ステップ、操作、要素及び／または構成要素の存在を特定するが、ステップ、操作、要素、構成要素、及び／または、これらのグループの少なくとも１つを含み得る。本明細書に記載の方法のステップ、工程、及び操作は、実施順序として具体的に特定されない限り、必ずしも説明または図示された特定の実施順序を必要とすると解釈されるべきではない。追加のまたは代替のステップが採用され得る。
【００１２】
ある要素または層が他の要素または層に「上にある」、「係合している」、「接続されている」、「取り付けられている」または「結合している」と言及されている場合、ある要素または層は、他の要素または層に直接、上にある、係合されている、接続されている、取り付けられている、または、結合されてもよく、あるいは、介在要素または介在層が存在し得る。対照的に、ある要素が他の要素または層に「直接的に上にある」、「直接的に係合している」、「直接的に接続されている」、「直接的に取り付けられている」または「直接的に結合している」と言及されている場合、介在要素または介在層が存在し得ない。要素間の関係を説明するために使用される他の用語は、同様に解釈されるべきである（例えば、「間に」対「直接的に間に」、「隣接する」対「直接的に隣接する」など）。本明細書で使用される場合、「及び／または」という用語は、１つ以上の関連する列挙された項目の任意かつすべての組み合わせを含む。
【００１３】
第１、第２、第３などの用語は、本明細書では、様々な要素、構成要素、領域、層及び／またはセクションを説明するために使用され得る。これらの要素、構成要素、領域、層及び／またはセクションは、これらの用語によって限定されるべきではない。これらの用語は、ある要素、構成要素、領域、層、または、セクションを、他の領域、層またはセクションと区別するためにのみ使用され得る。「第１」、「第２」などの用語及び他の数の用語は、文脈によって明白に示されない限り、順序または順番を意味しない。したがって、以下に説明する第１の要素、構成要素、領域、層、またはセクションは、例示的構成の教示から逸脱することなく、第２の要素、構成要素、領域、層またはセクションと称され得る。
【００１４】
本開示の一態様は、アッパー及びアッパーに取り付けられたアウトソールを有するフットウェア物品を含む。接地面及び内面は、アウトソールの両側に配置される。フットウェア物品のミッドソールは、ミッドソールの両側に配置されたフットベッド及び底面を有する。ミッドソールの底面は、アウトソールの内面と対向しており、その間にキャビティを画定している。所定量の粒状物質がキャビティ内に配置される。フットウェア物品は、また、内面及び底面の一方から内面及び底面の他方に向かう第１の方向においてキャビティ内でそれぞれ延在する第１の一連の突起及び第２の一連の突起を含む。第１の一連の突起は、内面及び底面の他方から離間されている。第２の一連の突起は、第１の一連の突起とは異なる高さを有し、内面及び底面の他方から離間している。
【００１５】
いくつかの例では、第１及び第２の一連の突起がアウトソールの内面からキャビティ内に延在する際、所定量の粒状物質が、第１の一連の突起の基部の周り、及び、第２の一連の突起の基部の周りに配置される。第１の一連の突起及び第２の一連の突起の一方または両方は、第１の方向において減少する断面積を含み得る。
【００１６】
いくつかの実施例では、第１の一連の突起及び第２の一連の突起は、常に先細の外面を含む。先細の外面は、内面及び底面の他方に対向する各突起の丸みを帯びた遠位端で終端し得る。第１の一連の突起は、アウトソールのヒール部分に近接して配置され、第２の一連の突起は、アウトソールのフォアフット部分に近接して配置され得る。さらに、第１の一連の突起は、第２の一連の突起よりも内面及び底面の一方から遠くに延在し得る。第１の一連の突起及び第２の一連の突起は、随意的に、アウトソールのミッドフット部分に近接して配置されたボイドによって互いに離間され得る。
【００１７】
いくつかの例では、キャビティ内に配置された粒状物質は、略同じサイズ及び形状、あるいは、サイズ及び形状の少なくとも１つが異なる発泡ビーズを含む。これらの例では、発泡ビーズは、略球形を含み得る。
【００１８】
本開示の別の態様は、アッパーとアッパーに取り付けられたアウトソールとを有するフットウェア物品を含む。接地面及び内面は、アウトソールの両側に配置される。フットウェア物品のミッドソールは、ミッドソールの両側に配置されたフットベッド及び底面を有する。アウトソールの内面は、それぞれが上方に向かう方向に延在し、それぞれが異なる高さを有する、第１の一連の突起と第２の一連の突起とを含む。ミッドソールの底面は、アウトソールの内面と対向しており、その間にキャビティを画定している。所定量の粒状物質がキャビティ内に配置される。底面は、第１の一連の突起及び第２の一連の突起からさらに離間されている。
【００１９】
いくつかの実施例では、第１の一連の突起の断面積は、アウトソールからミッドソールに向かって延在する方向において減少する。さらに、第２の一連の突起の断面積は、アウトソールからミッドソールに向かって延在する方向において減少し得る。いくつかの例では、第１の一連の突起及び第２の一連の突起は、継続的に先細の外面を含む。これらの例では、先細の外面は、ミッドソールの底面に対向する各突起の丸みを帯びた遠位端で終端し得る。いくつかのシナリオでは、第１の一連の突起は、アウトソールのヒール部分に近接して配置され、第２の一連の突起は、アウトソールのフォアフット部分に近接して配置される。これらのシナリオでは、第１の一連の突起は、随意的に、第２の一連の突起よりも、アウトソールの内面からさらに遠くに延在し得る。第１の一連の突起及び第２の一連の突起は、随意的に、アウトソールのミッドフット部分に近接して配置されたボイドによって互いに離間され得る。
【００２０】
いくつかの例では、キャビティ内に配置された粒状物質は、略同じサイズ及び形状、あるいは、サイズ及び形状の少なくとも１つが異なる発泡ビーズを含む。これらの例では、発泡ビーズは、略球形を含み得る。
【００２１】
本開示のさらに別の態様では、フットウェア物品は、アッパーと、フットベッドとフットベッドとはミッドソールの反対側に配置された底面とを有するミッドソールと、を含む。ミッドソールの底面は、アッパーから離れる方向に延在する第１の一連の突起を含む。また、底面は、アッパーから離れて延在し、第１の一連の突起とは異なる高さを有する第２の一連の突起を含む。また、フットウェア物品は、アッパーに取り付けられ、接地面と、アウトソールの反対側に配置される内面とを含むアウトソールを含む。内面は、ミッドソールの底面に対向している。アウトソールの内面及びミッドソールの底面は協働してその間にキャビティを画定する。所定量の粒状物質がキャビティ内に配置され、アウトソールの内面は、第１の一連の突起及び第２の一連の突起から離間される。
【００２２】
いくつかの実施例では、第１の一連の突起の断面積は、ミッドソールからアウトソールに向かって延在する方向において減少する。さらに、第２の一連の突起の断面積は、ミッドソールからアウトソールに向かって延在する方向において減少し得る。いくつかの例では、第１の一連の突起及び第２の一連の突起は、継続的に先細の外面を含む。これらの例では、先細の外面は、アウトソールの内面に対向する各突起の丸みを帯びた遠位端で終端し得る。第１の一連の突起は、ソールのヒール部分に随意的に対向してもよく、第２の一連の突起は、随意的に、ソールのフォアフット部分に対向し得る。１つの構成では、第１の一連の突起は、第２の一連の突起よりもミッドソールの底面からさらに遠くまで延在し得る。いくつかのシナリオでは、第１の一連の突起及び第２の一連の突起は、アウトソールのミッドフット部分に近接して配置されたボイドによって互いに離間され得る。
【００２３】
いくつかの例では、キャビティ内に配置された粒状物質は、略同じサイズ及び形状、あるいは、サイズ及び形状の少なくとも１つが異なる発泡ビーズを含む。これらの例では、発泡ビーズは、略球形を含み得る。
【００２４】
本開示の別の態様は、フットウェア物品を製造する方法を提供する。この方法は、フットベッドとアウトソールとの間にキャビティを設け、フットベッドとアウトソールの一方に、フットベッドとアウトソールの他方に向かって第１の方向にキャビティ内で延在する第１の一連の突起を設けるステップを含む。第１の一連の突起は、フットベッド及びアウトソールの他方から離間されている。また、この方法はフットベッド及びアウトソールの一方に、フットベッド及びアウトソールの他方に向かって第１の方向にキャビティ内で延在する第２の一連の突起を設けるステップを含む。第２の一連の突起は、フットベッド及びアウトソールの他方から離間されている。第２の一連の突起は、第１の一連の突起とは異なる高さを有する。また、この方法は、所定量の粒状物質をキャビティに供給するステップを含む。
【００２５】
いくつかの例では、この方法は、アウトソールに第１の一連の突起及び第２の一連の突起を設けるステップを含む。これらの例では、所定量の粒状物質は、第１の一連の突起の基部の周り、及び、第２の一連の突起の基部の周りに提供される。
【００２６】
いくつかの実施例では、この方法は、フットベッド及びアウトソールの一方に向かって減少する断面積を有する第１の一連の突起を設けることで、フットベッド及びアウトソールの一方に第１の一連の突起を設けるステップを含む。随意的に、この方法は、第１の一連の突起及び第２の一連の突起に継続的に先細の外面を設けることで、第１の一連の突起及び第２の一連の突起をフットベッド及びアウトソールの一方に設けるステップを含む。また、この方法は、第１の一連の突起と第２の一連の突起との間のボイドをアウトソールのミッドソールに近接して設けることで、フットベッド及びアウトソールの一方に第１の一連の突起と及び第２の一連の突起を設けるステップも含み得る。
【００２７】
いくつかの例では、本方法は、第１の一連の突起をアウトソールのヒール部分に近接して、かつ、第２の一連の突起をアウトソールのフォアフット部分に近接して設けることで、フットベッド及びアウトソールの一方に第１の一連の突起及び第２の一連の突起を設けるステップを含む。これらの例では、本方法は、第２の一連の突起よりも第１の一連の突起をフットベッド及びアウトソールの一方からより遠くに延在させるステップも含み得る。
【００２８】
いくつかの例では、粒状物質をキャビティに供給するステップは、キャビティに発泡ビーズを提供するステップを含む。キャビティに発泡ビーズを提供するステップは、略球形の断面を有する所定量の発泡ビーズをキャビティに供給するステップを含み得る。追加的または代替的に、キャビティに発泡ビーズを提供するステップは、略同じサイズ及び形状、あるいは、サイズ及び形状の少なくとも１つが異なる所定量の発泡ビーズをキャビティに提供するステップを含み得る。
【００２９】
図１〜図３を参照すると、いくつかの実施例では、フットウェア物品１０は、アッパー１００と、アッパー１００に取り付けられたソール構造２００と、を含む。フットウェア物品１０は、１つまたは複数の部分に分割され得る。これらの部分は、フォアフット部分１２、ミッドフット部分１４、及び、ヒール部分１６を含み得る。フォアフット部分１２は、つま先と、中足骨を足の趾骨に接続する関節と、に相当し得る。ミッドフット部分１４は、足の土踏まず領域に相当し、ヒール部分１６は、ヒール骨を含む、足の後部分に相当し得る。フットウェア１０は、フットウェア１０の両側面に相当する、それぞれが部分１２、１４、１６に亘って延在する外側面１８及び内側面２０を含み得る。
【００３０】
アッパー１００は、ソール構造２００の支持のために足を受容して固定する内部ボイド１０２を画定する内面を含む。ヒール部分１６の履口１０４は、内部ボイド１０２へのアクセスをもたらし得る。例えば、履口１０４は、ボイド１０２内に足を受容して固定し、内部ボイド１０２への足の出し入れを容易にする。いくつかの例では、１つ以上のファスナ１０６がアッパー１００に沿って延在し、そこへの足の出し入れに同時に適合する一方で足の周りの内部ボイドのフィット感を調整する。アッパー１００は、アイレットなどの孔、及び／または、ファスナ１０６を受容するファブリックまたはメッシュループなどの他の係合機構を含み得る。ファスナ１０６は、靴ひも、ストラップ、コード、フックアンドループ、または任意の他の適切なタイプのファスナを含み得る。
【００３１】
アッパー１００は、内部ボイド１０２とファスナ１０６との間に延在するタン１１０をさらに含み得る。アッパー１００は、内部ボイド１０２を形成するために互いに縫い合わされるかまたは接着剤で結合される１つ以上の材料から形成され得る。アッパーの適切な材料は、織物、発泡体、皮革、及び合成皮革を含むが、これに限定されない。材料は、内部ボイド１０２内に配置されている間に、耐久性、通気性、耐摩耗性、柔軟性、及び足に対する快適性を付与するように選択され配置され得る。
【００３２】
いくつかの実施例では、ソール構造２００は、層状構成で配置されたアウトソール２１０及びミッドソール２２０を含む。アウトソール２１０は、一般的に、使用中にアウトソール２１０が地面に接触することを可能にするためにフットウェア物品１０の底面に配置される。ミッドソール２２０は、アッパー１００とアウトソール２１０との間に配置され、フットウェア物品１０の使用中に足に適度なクッション性をもたらす。いくつかの例では、ソール構造２００は、アッパー１００の内部ボイド１０２内に位置し得るインソールまたはソックスライナーなどの追加的な層も組み入れ得、フットウェア１０の快適性を向上させるために足の足底面を受容する。いくつかの例では、側壁２３０は、アウトソール２１０とミッドソール２２０とを分離して、その間にキャビティ２４０を画定する。いくつかの実施例では、突起３００がキャビティ２４０内に延在し、フットウェアのクッション性をもたらすとともに、フットウェア１０の使用中にキャビティ２４０内に存在する粒状物質３５０の移動を調整する。突起３００及びキャビティ２４０は協働して、従来のミッドソールが提供する機能性及びクッション性を向上させることができる。例えば、エチル−ビニルアセテートまたはポリウレタンのような１つ以上のポリマー発泡体材料で突起３００が形成され、地面反力を減衰させるために荷重がかかったときに弾力のある圧縮性をもたらし得る。粒状物質３５０は、略球状の発泡ビーズを含み得る。いくつかの例では、粒状物質３５０は、略同じサイズ及び形状を有する発泡ビーズを含む。他の例では、粒状物質３５０は、サイズ及び形状の少なくとも１つが異なる発泡ビーズを含む。
【００３３】
いくつかの例において、アウトソール２１０は、接地面２１２及び反対側の内面２１４を含む。アウトソール２１０は、アッパー１００に取り付け得る。いくつかの例では、側壁２３０は、アウトソール２１０の周囲から延在し、ミッドソール２２０またはアッパー１００に取り付けられる。図１の例は、フォアフット部分１２の先端に近接してアッパー１００に取り付けられたアウトソール２１０を示す。アウトソール２１０は、一般的に、耐摩耗性及び地面との静止摩擦をもたらすように構成される。アウトソール２１０は、耐久性及び耐摩耗性を付与し、地面との静止摩擦を高める１つ以上の材料から形成され得る。例えば、ゴムは、アウトソール２１０の少なくとも一部を形成し得る。
【００３４】
ミッドソール２２０は、底面２２２と、底面２２２とはミッドソール２２０の反対側に配置されたフットベッド２２４と、を含み得る。ステッチング２２６または接着剤は、ミッドソール２２０をアッパー１００に固定し得る。フットベッド２２４は、足の裏（例えば、足底）の輪郭に合わせられ得る。いくつかの例では、インソールまたはソックスライナーが、アッパー１００の内部ボイド１０２の少なくとも一部において足の下のフットベッド２２４上に配置され得る。底面２２２は、アウトソール２１０の内面２１４に対向して、キャビティ２４０を形成する。
【００３５】
ミッドソール２２０は、ミッドソール２２０がキャビティ２４０に存在する粒状物質３５０に適合して反応することを可能にする柔軟性材料から形成され得る。その際、柔軟なミッドソール２２０は、ソール構造２００の勾配荷重中に、キャビティ２４０に存在する粒状物質３５０が足の裏の表面形状と相互作用できるようにする柔軟なシュトローベル（strobel）に相当し得る。ミッドソール２２０にフットウェア物品１０の使用中に撓む能力を与えることにより、ミッドソール２２０は、地面反力に応答して圧縮されると足の裏の表面形状に近づき、粒状物質３５０の圧縮性によって与えられる軟らかいクッション性を足部が感じることを可能にする。いくつかの例では、側壁２３０は、底面２２２と内面２１４との間の分離の長さに基づいて、キャビティ２４０の周囲ならびにキャビティ２４０の深さを画定することができる。１つ以上のポリマー発泡体材料は、荷重がかかったときに弾力のある圧縮性をもたらし、接地荷重反力を減衰させるように側壁２３０を形成し得る。
【００３６】
図２は、アウトソール２１０の内面２１４からミッドソール２２０の底面２２２に向かう方向に延在する突起３００を示すフットウェア物品１０の分解図を提供する。この実施形態では、キャビティ２４０内に存在する多数の粒状物質３５０（例えば、発泡ビーズ）が、アウトソール２１０の内面２１４に近接する各突起３００の周りに配置され得る。いくつかの例では、突起３００は、反復する列に配置され、各突起３００は、隣接する突起３００の周りに等間隔に配置されている。他の例では、突起３００は、粒状物質３００の運動または移動を制限するように互い違いの反復列に配置される。
【００３７】
図３を参照する。図３は、図１の長線３−３に沿った概略断面図であり、アウトソール２１０の内面２１４からミッドソール２２０の底面２２２に向かう方向に延在する突起３００を示す。いくつかの実施例では、突起３００は、第１の一連の突起３１０及び第２の一連の突起３２０を含み、それぞれが、内面２１４（アウトソール２１０）から底面２２２（ミッドソール２２２）に向かって延在している。第１の一連の突起３１０は、アウトソール２１０のヒール部分１６に近接して配置され、第２の一連の突起３２０は、アウトソール２１０のフォアフット部分１２に近接して配置され得る。いくつかの例では、第１の一連の突起３１０は、ボイド３３０によって第２の一連の突起３２０から分離されている。図３の例では、ヒール部分１６に近接して配置された第１の一連の突起３１０を、フォアフット部分１２に近接して配置された第２の一連の突起３２０から分離するように、アウトソール２１０のミッドフット部分１４に、または、そこに近接して配置されたボイド３３０が示めされる。同様に、第２の一連の突起３１０は、対応する基部３２２と、対応する丸められた遠位端３２４と、を含み得る。所定量の粒状物質（例えば発泡ビーズ）は、第１及び第２の一連の突起３１０，３２０の対応する基部３１２，３２２の周りにそれぞれ分散されて配置され得る。
【００３８】
いくつかの実施例では、第１の一連の突起３１０の各突起は、突起３１０が基部３１２から丸みを帯びた遠位端３１４に向かって延在するにつれて減少する断面積を含む（例えば、突起３１０の断面積が第１の方向において減少する）。追加的または代替的に、第２の一連の突起３２０の各突起は、突起３２０が基部３２２から丸みを帯びた遠位端３２４に向かって延在するにつれて減少する断面積を含み得る（例えば、突起３２０の断面積が第１の方向において減少する）。いくつかの例では、第１及び第２の一連の突起３１０，３２０は、基部３１２，３２２と遠位端３１４，３２４との間に延在する、継続的に先細の外面を含む。示される例では、各突起３１０，３２０の先細の外面がその対応する丸みを帯びた遠位端３１４，３２４で終端する。
【００３９】
また、図２及び図３は、粒状物質３５０を受容するか、さもなければ収容するための、隣接する突起３１０，３２０の間の谷を画定する突起３１０，３２０の先細の外面を示す。遠位端３１４，３２４は、ミッドソール２２０の底面２２２に対向し得る。先細の及び断面積が減少する突起３１０，３２０は、基部３１２，３２２の近くの粒状物質３５０の移動または運動を制限し、一方、遠位端３１４，３２４の近くの粒状物質３５０の圧程度の運動または移動を可能にし得る。逆に、ボイド３３０は、ソール構造２００のフォアフット部分１２とヒール部分１６との間の粒状物質３５０の全ての移動を制限し得る。
【００４０】
粒状物質３５０の移動を制御することに加えて、突起３００の先細及び減少する断面積は、また、突起３００の圧縮性を制御する。突起３００の圧縮性を制御することは、フォアフット部分１２及びヒール部分１６（及び／またはミッドフット部分１４）の応答性に影響をする。例えば、突起３００の先端または遠位端３１４，３２４に加えられるより小さい荷重は、先端における突起３００の断面積が比較的小さいため、先端で突起３００をより容易に圧縮する。突起３００の残りの部分は、突起３００のより広い基部３１２，３２２を圧縮するために各突起３００に十分な荷重が加えられたときにのみ圧縮する。したがって、突起３００は、印加荷重が増加するにつれ、圧縮率度を増加させる勾配があるクッション効果をもたらす。粒状物質３５０が突起の基部３１２，３２２に近接してのみ配置されている場合、粒状物質３５０は、突起３００に十分な荷重が加えられ、所定量突起を圧縮した（すなわち、突起３００が方向３０２の反対方向に圧縮される）際にクッション効果を増すだけである。逆に、粒状物質３５０がミッドソール２２０の遠位端３１４，３２４と底面２２２との間に延在するように十分な量の粒状物質３５０がキャビティ２４０内に配置された場合、ミッドソール２２０を撓ませる任意の力が、キャビティ２４０内の粒状物質３５０の圧縮率を引き起こす。このような力は、粒状物質３５０がキャビティ２４０に対して移動するか、そうでなければキャビティ２４０に対して、かつ、その中で移動し、そうでなければ運動させ、その際に、加えられた荷重を、突起３００の遠位端３１４，３２６に伝達し得る
【００４１】
いくつかの実施例では、アウトソール２１０（例えば、内面２１４）から延在する突起３１０，３２０は、ミッドソール２２０（例えば、底面２２２）から離間している。言い換えれば、ミッドソール２２０の底面２２２と、底面２２２に対向する遠位端３１４，３２４と、の間に隙間が存在し得る。これらの実施形態では、突起３１０，３２０は、ソール構造２００に荷重がかかっておらず、静止時である際、ミッドソールから離間している。しかしながら、ソール構造２００を圧縮することにより、ミッドソール２２０の底面２２２は、粒状物質３５０と協働して、アウトソール２１０に向かって並進し、１つ以上の突起３１０，３２０と接触し得る。他の実施例では、ソール構造２００に荷重がかかっていない際でも、突起３１０，３２０はミッドソール２２０の底面２２２と接触している。言い換えれば、遠位端３１４，３２４は、ミッドソール２２０の底面２２２に対向し接触する。いくつかの例では、遠位端３１４，３２４のいずれかの一部は、底面２２２と接触し得、一方、ソール構造２００が静止している際、遠位端３１４，３２４は底面２２２から離間し得る。突起３１０，３２０による圧縮性は、応答タイプののクッション性を提供し得る。
【００４２】
アウトソール２１０の内面２１４と遠位端３１４との間の距離は、第１の一連の突起３１０の高さを画定する。同様に、内面２１４と遠位端３２４との間の距離は、第２の一連の突起３２０の高さを画定する。あるいは、突起３１０，３２０の高さは、遠位端３１４，３２４と対応する基部３１２，３２２との間の距離に基づいて得てもよい。いくつかの例では、第１の一連の突起３１０の高さは、第２の一連の突起３２０の高さと異なる。例えば、図３は、第２の一連の突起３２０と比較して、より高い高さ（例えば、対応する遠位端３１４が内面２１４から遠くに延在する）を有する第１の一連の突起３１０を示す。突起３００の高さ（及び先細）は、粒状物質３５０を分散させる機能をもたらす。例えば、ヒール部分１６は、第２の一連の突起３２０と比較して内面２１４（例えばより高い高さ）からより遠くに延在する第１の一連の突起３１０により、の内面２１４からさらに延在する第１の一連の突起３１０のために、フォアフット部分１２よりもより多くの粒状物質３５０が基部３１２に配置されることを可能にする。本明細書の例は、第１の一連の突起３１０のそれぞれについて高さが均一であり、また、第２の一連の突起３２０のそれぞれについて対応する高さが均一であることを示し、いくつかの構成では、一連の突起３１０，３２０のいずれかの個々の突起の高さは変化し得る。
【００４３】
図１〜図３の例は、キャビティ２４０内に延在する第１及び第２の突起３１０，３２０の形状（例えば、高さ、先細度、断面積）及び配置は、粒状物質３５０の分散をもたらし、ウォーキングまたはランニング運動の間など、ソール構造２００の勾配荷重中にソフトから応答タイプののクッション性を可能にする。例えば、ヒール部分１６で生じる地面反力の初期衝撃のために、ヒール部分１６でソフトなクッション性のレベルを上げることがより望ましいことがある。したがって、内面２１４より遠くに第１の一連の突起を延在させることによって、ヒール部分１６に粒状物質３５０のより高い比率を置き得る。この例では、所定量の粒状物質３５０が、地面反力の初期衝撃の間にソフトタイプのクッション性のレベルをもたらし得、一方で、突起３１０，３２０の圧縮性が、初期衝撃の後に起こり、応答タイプのクッションを提供し得る。
【００４４】
図４〜図７を参照すると、いくつかの実施態様では、フットウェア物品１０ａは、アッパー１００及びアッパー１００に取り付けられたソール構造２００ａを含む。フットウェア物品１０ａに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。ソール構造２００ａは、積層構造に配置され、それらの間にキャビティ２４０ａを画定する、アウトソール２１０ａ及びミッドソール２２０ａを含み得る。アウトソール２１０ａは、接地面２１２とはアウトソール２１０ａの反対側に配置された内面２１４ａを含む。ミッドソール２２０ａは、フットベッド２２４とはミッドソール２２０ａの反対側に配置された底面２２２ａを含む。底面２２２ａは、内面２１４ａと対向してその間にキャビティ２４０ａを画定する。側壁２３０は、底面２２２ａと内面２１４ａとを分離して、キャビティ２４０ａの深さを画定し得る。
【００４５】
いくつかの実施例では、突起３００ａがキャビティ２４０ａ内に延在して足のためのクッションを提供すると共に、フットウェア１０ａの使用中にキャビティ２４０ａに存在する粒状物質３５０の移動を制御する。突起３００ａは、図１〜図３の突起３００を形成する１つ以上のポリマー発泡体材料から形成され、地面反力を減衰させるために、荷重がかかったときに弾力のある圧縮性を提供する。図５は、ミッドソール２２０ａの底面２２２ａからアウトソール２１０ａの内面２１４ａに向かう方向に延在する突起３００ａを示す、フットウェア物品１０ａの分解図を提供する。この実施態様では、所定量の粒状物質３５０（例えば、発泡ビーズ）が、ミッドソール２２０ａの底面２２２ａから延在する各突起３００ａの周囲のキャビティ２４０ａ内に位置するように、アウトソール２１０ａの内面２１４ａ上に配置され、積層される。いくつかの例では、突起３００ａは反復列に配置され、各突起３００ａは隣接する突起３００ａから等間隔に離間されている。他の例では、突起３００ａは互い違いの反復列に配置され、粒状物質３５０の運動または移動を制限する。ミッドソール２２０ａは、図１〜３のミッドソール２２０を形成する柔軟性材料から形成され、十分な柔軟性をミッドソール２２０ａに提供し得る。ミッドソール２２０ａに柔軟性を付与することにより、ミッドソール２２０、ひいては突起３００ａが、ソール構造２００ａに付加かかって撓むときに、突起３００ａの周りのキャビティ２４０ａに存在する粒状物質３５０がクッションを足に提供することが可能になる。
【００４６】
いくつかの例では、１つまたは複数の仕切り３３２ａ、３３４ａは、アウトソール２１０ａの内面２１４ａからキャビティ２４０内に部分的に延在している。仕切り３３２ａ、３３４ａは、外側面１８と内側面２０との間に延在し、側壁２３０で終端する端部を含む。仕切り３３２ａ、３３４ａは、１つ以上の突起３００ａと協働して、粒状物質３５０の移動を制限するか、いくつかの例では、第１の仕切り３３２ａは、アウトソール２１０ａのミッドフット部分１４に近接して配置される。追加的または代替的に、他の例では、第２仕切り３３４ａがアウトソール２１０ａのフォアフット部分１２に近接して配置される。図５は、第２の仕切り３３４ａの右側に位置するフォアフット領域５１２と、第１の仕切り３３２ａと第２の仕切り３３４ａとの間に延在するミッドフット領域５１４と、第１の仕切り３３２ａの左側に位置するヒール領域５１６と、を示す。
【００４７】
図６及び図７は、図４の線６−６に沿った断面図であり、ミッドソール２２０ａの底面２２２ａからアウトソール２１０の内面２１４ａに向かう方向に延在する突起３００ａを示している。図６及び図７の例では、矢印６０２はミッドソール２２０ａからアウトソール２１０ａに向かう方向を示す。いくつかの実施例では、突起３００ａは、それぞれが矢印６０２の方向にれ延在する、第１の一連の突起３１０ａ及び第２の一連の突起３２０ａを含む。第１の一連の突起３１０ａは、アウトソール２１０ａのヒール部分１６に近接して配置され、第２の一連の突起３２０ａは、アウトソール２１０ａのフォアフット部分１２に近接して配置され得る。
【００４８】
いくつかの例では、第１の一連の突起３１０ａは、ボイド３３０ａによって第２の一連の突起３２０ａから分離されている。図６に示すように、第１の仕切り３３２ａは、アウトソール２１０ａの内面２１４ａから第３の一連の突起３４０ａの領域内のボイド３３０ａ内に延在している。第３の一連の突起３４０ａは、ミッドフット部分１４に近接して配置され、底面２２２ａから内面２１４ａに向かう方向に延在している。第３の一連の突起３４０ａは、ボイド３３０ａ内の第１の仕切り３３２ａと協働して、フットウェア物品１０の長手方向軸に実質的に平行な方向へのキャビティ２４０ａ内の粒状物質３５０の移動を制限し得る。第３の一連の突起３４０ａは、第１仕切り３３２ａと平行に外側面１８と内側面２０との間に配置され、対応する領域５１４または５１６（図６）に粒状物質３５０を十分に収容するように第１仕切り３３２ａと接触し得る。代替的に、ミッドフット領域５１４とヒール領域５１６との間の仕切り３３２ａ（図７）に近接した間隙を横切って粒状物質３５０のある程度の移動を可能にするように、突起３４０ａと第１の仕切り３３２ａとを隙間が分離し得る。同様に、図６及び図７の両方は、第２の仕切り３３４ａと第２の一連の突起３２０ａとの間に存在する隙間を示し、これにより、ソール構造２００ａのフォアフット領域５１２とミッドフット領域５１４との間で粒状物質３５０がある程度移動することを可能にする。
【００４９】
図３の例の突起３００と同様に、第１の一連の突起３１０ａは、対応する基部３１２ａ及び対応する丸められた遠位端３１４ａを含み得る。同様に、第２の一連の突起３２０ａは、対応する基部３２２ａ及び対応する丸みのある遠位端３２４ａを含み得る。いくつかの実施例では、第１の一連の突起３１０ａは、突起３１０ａが基部３１２ａから丸い遠位端３１４ａに向かって延在するにつれて減少する断面積を含む（例えば、突起３１０ａの断面積は、矢印６０２において減少する）。追加的または代替的に、第２の一連の突起３２０ａの各突起は、突起３２０ａが基部３２２ａから丸みを帯びた遠位端３２４ａに向かって延在するにつれて減少する断面積を含み得る（例えば、突起３２０ａの断面積は、矢印６０２の方向において減少する）。いくつかの例では、第１及び第２の一連の突起３１０ａ、３２０ａは、基部３１２ａ、３２２ａと遠位端３１４ａ、３２４ａとの間に延在する、継続的に先細の外面を含む。図６及び７の例は、対応する丸みを帯びた遠位端３１４ａ、３２４ａで終端する各突起３１０ａ、３２０ａの先細の外面を示す。遠位端３１４ａ、３２４ａは、アウトソール２１０ａの内面２１４ａに対向し得る。突起３１０ａ、３２０ａの先細及び減少する断面積は、基部３１２ａ、３２２ａの近くでの粒状物質３５０の運動または移動を制限する一方で、遠位端３１４ａ、３２４ａの近くでのキャビティ２４０を通る粒状物質３５０の運動または移動をある程度可能にする。しかしながら、外側面１８と内側面２０との間にフットウェア物品１０を横断して延在する連続的な壁を実質的に形成する第１の仕切り３３２ａに第３の突起３４０ａが接触する場合には、ボイド３３０ａが、ソール構造２００ａのフォアフット部分１２とヒール部分１６との間の粒状物質３５０の移動をすべて制限することができる。この壁は、隣接する突起３４０ａが、フットウェア物品１０の長手方向軸に対して実質的に垂直に延在する方向において互いに接触するのに十分な幅を第３の突起３４０ａに設けることで形成され得る。
【００５０】
粒状物質３５０の移動を制御することに加えて、先細で減少する断面積も、突起３００ａの圧縮性を制御して、対応するフォアフット部分１２及びヒール部分１６（及び／またはミッドフット部分１４）でクッションがどのぐらいソフトでそのぐらい応答性であるかを決定し得る。突起３１０ａ、３２０ａの先細の外面は、隣接する突起３１０ａ、３２０ａの間に、粒状物質３５０を受容するか、さもなければ収容するための谷を画定する。例えば図６を参照すると、所定量の粒状物質３５０が、突起３１０ａ、３２０ａと内面２１４ａとの間のキャビティ２４０の谷を満たす。これらの例では、遠位端３１４ａ、３２４ａ、基部３１２，３２２、及び内面２１４ａは、ソール構造２００ａの勾配荷重の下で地面反力を減衰させるために粒状物質３５０を圧縮するように協働する。
【００５１】
他の例では、図７を参照すると、図６の例より少量の粒状物質３５０がキャビティ２４０ａ内に分散されており、これにより、対応する基部３２２ａ、３２４ａに近接した谷の部分内には粒状物質３５０がない。これらの例では、粒状物質３５０は、遠位端３１４ａ、３２４ａが内面２１４ａと協働することによって地面反力に応じて圧縮する。粒状物質３５０が圧縮するにつれて、隣接する突起３１０ａ、３２０ａの間の部分的に空いている谷によって、粒状物質３５０がキャビティ２４０ａ内の以前占有されていない空間を移動して占め得る。
【００５２】
ミッドソール２２０ａ（例えば、底面２２２ａ）から延在する突起３１０ａ、３２０ａは、アウトソール２１０ａ（例えば、内面２１４ａ）から離間され得る。例えば、ソール構造２００ａに荷重がかかっていないときに、アウトソール２１０ａの内面２１４ａと、内面２１４ａに対向する遠位端３１４ａ、３２４ａとの間に隙間が存在し得る。しかしながら、粒状物質３５０が勾配荷重下で圧縮する際、対応する突起３１０ａ、３１０ｂがミッドソール２２０ａと一緒に並進するにつれて、遠位端３１４ａ、３２４ａの１つ以上が内面２１４ａに接触し得る。ここで、突起３１０ａ、３２０ａは、ソール構造２００ａの勾配荷重中に内面２１４ａに接触しながら圧縮することができる。上述したように、粒状物質３５０による圧縮性が、ソフトタイプのクッションを提供し、一方、突起３００ａによる圧縮性は、応答性タイプのクッションを提供し得る。したがって、突起３００ａ及び粒状物質３５０は協働して、かかる荷重が変化するにつれて変化する勾配クッションをフットウェア物品１０に提供し得る（すなわち、荷重が大きいほど、突起３００ａが圧縮され、したがってフットウェア１０がより高い応答性を発揮する）。いくつかの構成では、ミッドソール２２０ａまたはその一部を除去して、足の裏と、第１の一連の突起３１０ａの基部３１２ａ及び／または第２の一連の突起３２０ａの基部３２２ａと、の間の直接的な接触を提供し得る。これらの構成では、遠位端３１４ａ、３２４ａの反対の、かつ、足の裏に対向する基部３１２ａ、３２２ａの少なくとも１つの平坦な表面は、突起３１０ａ及び／または３２０ａが粒状物質３５０に向かって移動するにつれ、キャビティ２４０ａ内に存在する粒状物質３５０によってソール構造２００ａへの勾配荷重中に足にクッションを提供することを可能にする柔軟なシュトローベルに相当し得る。
【００５３】
ミッドソール２２０ａの底面２２２ａと遠位端３１４ａとの間の距離は、第１の一連の突起３１０ａの高さを画定し、ミッドソール２２０ａの底面２２２ａと遠位端３２４ａとの間の距離は、第２の一連の突起３２０ａの高さを画定する。あるいは、突起３１０ａ、３２０ａの高さは、遠位端３１４ａ、３２４ａと対応する基部３１２ａ、３２２ａとの間の距離に基づいて得られる。いくつかの例では、第１の一連の突起３１０ａの高さは、第２の一連の突起３２０ａの高さとは異なる。例えば、図６及び図７は、第２の一連の突起３２０ａと比較して、より高い高さ（例えば、対応する遠位端３１４ａが底面２２２ａから遠くに延在する）を有する第１の一連の突起３１０ａを示す。突起３００ａの高さ（及び先細）が、所定量のがキャビティ２４０ａ内に存在することが許容させる。例えば、第２の一連の突起３２０ａよりも底面２２２ａから遠くに延在する（例えば、より高い高さの）第１の一連の突起３１０ａにより、ヒール部分１６は、フォアフット部分１２よりも所定量の粒状物質３５０を許容する。本明細書の例は、第１の一連の突起３１０ａのそれぞれについて均一な高さを示し、対応する高さが第２の一連の突起３２０ａのそれぞれについて均一であることを示すが、いくつかのシナリオでは、突起３００ａの高さは、第１及び第２の一連の突起３１０ａ、３２０ａのうちのいずれか１つの個々の突起の間で異なり得る。
【００５４】
図４〜図７の例は、キャビティ２４０ａ内に延在する第１及び第２の突起３１０ａ、３２０ａの形状（例えば、高さ、先細、断面積）及び配置が、粒状物質３５０の分散をもたらし、ウォーキングまたはランニング運動の間など、ソール構造２００の勾配荷重中にソフトから応答タイプののクッションになることを可能にする。例えば、ソフトタイプのクッションレベルを高くすることは、ヒール部分１６に生じる地面反力の初期衝撃のために、フォアフット部分１２よりヒール部分１６でより所望され得る。したがって、粒状物質３５０は、第１の一連の突起３１０ａを底面２２２ａからさらに延在させることによってヒール部分１６に存在できる。この例では、より多くの粒状物質３５０が、地面反力の初期衝撃時にソフトタイプのクッションレベルをもたらし、一方で初期衝突後に突起３１０ａ、３２０ａの圧縮性が発生して、応答タイプのクッションレベルをもたらし得る。さらに、キャビティ２４０ａ内に存在する粒状物質３５０の量は、フットウェア１０ａが着用された際にソフトタイプのクッションレベルを増減するように変え得る。
【００５５】
粒状物質３５０の量は、粒状物質３５０とキャビティ２４０ａ内の占有されていない空間との比として表され得る。例えば、突起３１０ａ、３２０ａとアウトソール２１０ａの内面２１４ａとの間のキャビティ２４０ａの全ての谷を粒状物質３５０（図６）で充填することにより、ソフトタイプのクッションレベルが増加し、占有されていない空間がないために粒状物質３５０の移動は、制限され、ソール構造２００ａの地面反動力を減衰させる。対照的に、より少ない量の粒状物質３５０をキャビティ２４０ａ内に分散させ、粒状物質３５０の占有されていない空間（図７）に対する比を低くすることによって、ソフトタイプのクッションレベルは勾配荷重中に減少し、一方で、粒状物質３５０及び突起３１０ａ、３２０ａが圧縮するにつれて、粒状物質３５０は、キャビティ２４０ａ内の以前占有されていない空間に移動して占有し得る。粒状物質３５０がキャビティ２４０ａ内の以前に占有されていない空間に移動する機能は、地面反動力の大きさと地面反動力が作用する方向とに基づいてソール構造２００ａの様々な領域または部分にソフトタイプのクッションを動的に持たし得る。
【００５６】
図８〜図１１を参照すると、いくつかの実施例では、フットウェア物品１０ｂは、アッパー１００と、アッパー１００に取り付けられたソール構造２００ｂと、を含む。フットウェア物品１０ｂに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。ソール構造２００ｂは、積層構造に配置され、それらの間にキャビティ２４０ｂを画定する、アウトソール２１０ｂ及びミッドソール２２０ｂを含み得る。アウトソール２１０ｂは、接地面２１２とはアウトソール２１０ｂの反対側に配置された内面２１４ｂを含む。ミッドソール２２０ｂは、フットベッド２２４ｂとはミッドソール２２０ｂの反対側に配置された底面２２２ｂを含む。ソール構造２００ｂは、アッパー１００の内部ボイド１０２の少なくとも一部内の足下のフットベッド２２４ｂ上に配置されたインソール２２８（図１０及び図１１）をさらに含み得る。底面２２２ｂは、内面２１４ｂと対向してキャビティ２４０ｂを画定し、かつ、側壁２３０は、底面２２２ｂと内面２１４ｂとを分離してキャビティ２４０ｂの深さを画定し得る。
【００５７】
いくつかの実施例では、突起３００ｂは、足にクッションを提供すると共に、フットウェア１０ｂの使用中にキャビティ２４０ｂに存在する粒状物質３５０の移動を制御するようにキャビティ２４０ｂ内に延在する。突起３００ｂは、図１〜図７の突起３００，３００ａを形成する１つまたは複数のポリマー発泡体材料から形成され、地面反動力を減衰させるために、荷重がかかったときに弾力のある圧縮性をもたらし得る。図９は、アウトソール２１０ｂの内面２１４ｂからミッドソール２２０ｂの底面２２２ｂに向かう方向に延在し、複数のハニカム形状の区画９０２を画定するように内面２１４ｂに亘るパターンで配置された突起３００ｂを示すフットウェア物品１０ｂの分解図を提供する。
【００５８】
いくつかの例では、仕切り３３４ｂは、アウトソール２１０の内面２１４ａからキャビティ２４０ｂ内に部分的に延在し得る。仕切り３３４ｂは、ソール構造２００ｂのキャビティ２４０ｂ内の特定の領域または部分の間の粒状物質３５０の移動を制限、または操作し得る。例えば、フォアフット領域９１２は、図１０に示された図に対して仕切り３３４ｂの右側に配置されている。突起３００ｂは、図１０に示された図に対して、仕切り３３４ｂの左側に位置している。図９〜図１１の例は、アウトソール２１０のフォアフット部分１２に近接して配置された仕切り３３４ｂを示す。仕切り３３４ｂは、フォアフット部分１２に近接して配置されるように示されているが、１つ以上の他の仕切りが、アウトソール２１０ｂのミッドフット部分１４及び／またはヒール部分１６に近接して追加的にまたは代替え的に配置され得る。
【００５９】
ハニカム形状の区画９０２を画定する突起３００ｂは、ソール構造２００ｂのミッドフット部分１４及びヒール部分１６（例えば、仕切り３３４ｂの左側）にある粒状物質３５０の量の一部（例えば、発泡ビーズ）を受容し得る。同様に、粒状物質３５０のの量の残りは、ソール構造２００ｂのフォアフット領域９１２のキャビティ２４０ｂ内に存在するように、内面２１４ｂ上に配置され、積層され得る（例えば、図１０に示す図に対して仕切り３３４ｂの右側）。したがって、突起３００ｂ及び粒状物質３５０は協働して、ミッドフット部分１４及びヒール部分１６でソフトタイプ及び応答タイプのクッションの組み合わせを提供し、一方で、粒状物質３５０は、ソール構造２００ｂの勾配荷重中にフォアフット部分１２のフォアフット領域９１２にソフトタイプのクッションを提供す。ミッドソール２２０ｂは、図１〜図３のミッドソール２２０を形成する柔軟性材料から形成され、ミッドソール２２０ｂに十分な柔軟性を付与し得、これにより、ハニカム形状の区画９０２内に受容された粒状物質３５０が、ソール構造２００ｂの勾配荷重中に足の裏の形状と相互作用することを可能にする。
【００６０】
また、図１０及び１１は、図１０の線１０−１０に沿った断面図である。図８は、アウトソール２１０ｂの内面２１４ａからミッドソール２２０ｂの底面２２２ａに向かう方向に延在する突起３００ｂを示す。いくつかの例では、突起３００ｂは、アウトソール２１０ｂの内面２１４ｂに対向して接触する突起基部９００から延在することができる。図１の例では、図９及び図１０において、矢印３０２はアウトソール２１０ｂからミッドソール２２０ｂに向かう方向を示す。いくつかの例では、ハニカム形状の区画９０２の１つ以上のサイズ及び容積は、ソフトタイプのから応答性まで異なるレベルのクッション性を提供するために異なる。いくつかの例では、突起３００ｂ及び突起基部９００は、内面２１４ｂ上に位置するキャビティ２４０ｂ内に配置された単一部品の一部である。突起基部９００を省略した実施形態では、突起３００ｂは、内面２１４ｂ上に配置された単一のコンポーネント２４０ｂの一部であってもよい。他の例では、突起３００ｂは、アウトソール２１０ｂと一体的に形成され、内面２１４ｂから延在している。
【００６１】
図１０を参照すると、突起３００ｂは、突起基部９００（または、基部９００が省略されている場合は内面２１４ｂ）から底面２２２ｂに向かって矢印３０２の方向に延在し、底面２２２ｂと接触する点で終端するように示されている。所定量の粒状物質３５０は、フォアフット部分１２において、かつ、ソール構造のミッドフット部分１４及びヒール部分１６の突起３００ｂによって画定されたハニカム形状の区画９０２で、内面２１４ｂと底面２２２ｂとの間に存在する。図１０の例では、各区画９０２は、そこに存在する粒状物質３５０が隣接する区画９０２に移動またはシフトするのを制限する。いくつかのシナリオでは、ソール構造２００ｂの勾配荷重の下で、突起３００ｂが圧縮して応答タイプのクッションを提供し、かつ、粒状物質３５０が圧縮してソフトタイプのクッションを提供して地面反力を減衰させる。
【００６２】
他の例では、図１１を参照すると、突起３００ｂは、突起基部９００（基部９００を省略した場合は内面２１４ｂ）から底面２２２ｂに向かって矢印３０２の方向に延在し、ソール構造２００ｂが静止している際は、突起３００ｂの底面２２２ｂに接触することなく対応する遠位端３１４ｂで終端する。したがって、隙間が、ミッドソール２２０ｂの遠位端３１４ｂと底面２２２ｂとを分離する。ソール構造２００ｂが静止していて荷重がかかっていない際に、フォアフット部分１２、ミッドフット部分１４、及びヒール部分１６のそれぞれにおいて、粒状物質３５０がキャビティ２４０ｂに存在する一方で、ハニカム形状の区画９０２内に存在する粒状物質３５０は、ソール構造２００ｂに荷重がかかっている際は、隣接する区画への隙間を介して遠位端３１４ｂを越えて隣接する区画に移動し得る。言い換えると、ソール構造２００ｂの勾配荷重の下では、最初に粒状物質３５０が、底面２２２ｂ、内面２１４ｂ、及び突起３００ｂの間で圧縮して、初期のソフトタイプのクッションを提供して地面反力を減衰させる。その後、粒状物質３５０が圧縮することで、ミッドソール２２０ｂを矢印３０２と反対の方向に内面２１４ｂに向かって並進させ、突起３００ｂの遠位端３１４ｂと接触させる。ミッドソール２２０ｂが並進させるが、底面２２２ｂが遠位端３１４ｂに接触する前に、１つ以上の区画９０２内に存在する粒状物質３５０の一部が地面反力の大きさ及び方向に基づいて隣接する区画９０２に移動し得る。
【００６３】
ミッドソール２２０ｂを並進させることによって突起３００ｂを圧縮することは、粒状物質３５０によって提供される初期のソフトタイプのクッションの後に応答タイプのクッションを提供して、地面反力をさらに減衰させる。ハニカム形状の区画９０２の間の粒状物質３５０の移動により、勾配荷重中にソフトタイプ及び応答タイプのクッションがどのように分布するかが決められる。しかしながら、仕切り３３４ｂは、仕切り３３４ｂの下に存在するフォアフット領域９１２の内外への粒状物質３５０の移動を制限する。さらに、ソール構造２００ｂに加えられる地面反力の大きさ及び方向により、粒状物質３５０がどのように隙間を介して突起３００ｂの遠位端３１４ｂを越えて移動するか、否かが決定し得る。いくつかの構成では、ミッドソール２２０ｂまたはその一部を除去して、足の裏を支持するインソール２２８とキャビティ２４０ｂに存在する粒状物質３５０との間の直接的な接触をもたらし得る。これらの構成では、インソール２２８は、ソール構造２００ｂの勾配荷重中に、キャビティ２４０ｂに存在する粒状物質３５０が足の裏に適合することを可能にする柔軟なストロークに相当し得る。
【００６４】
図１２〜図１５を参照すると、いくつかの実施態様では、フットウェア物品１０ｃは、アッパー１００と、アッパー１００に取り付けられたソール構造２００ｃとを含む。図１２は、フットウェア１０ｃの底面斜視図を示す。フットウェア物品１０ｃに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。ソール構造２００ｃは、積層構造に配置され、それらの間にキャビティ２４０ｃを画定する、アウトソール２１０ｃ及びミッドソール２２０ｃを含み得る。アウトソール２１０ｃは、接地面２１２ｃとはアウトソール２１０ｃの反対側に配置された内面２１４ｃを含む。ミッドソール２２０ｃは、フットベッド２２４ｂとはミッドソール２２０ｃの反対側に配置された底面２２２ｃを含む。ソール構造２００ｃは、アッパー１００の内部ボイド１０２の少なくとも一部内の足下のフットベッド２２４ｂ上に配置されたインソール２２８（図１４及び図１５）をさらに含み得る。底面２２２ｃは、内面２１４ｃと対向してキャビティ２４０ｃを画定し、側壁２３０は、底面２２２ｃと内面２１４ｃとを分離してキャビティ２４０ｃの深さを画定し得る。
【００６５】
いくつかの実施例では、粒状物質３５０はケーシング１３５０内に受容され、かつ、キャビティ２４０ｃはケーシング１３５０を受容する。いくつかの構成では、ケーシング１３５０は柔軟性であり、かつ、透明であっても不透明であってもよい。図１３は、透明ケーシング１３５０内に存在する粒状物質３５０を示すフットウェア物品１０ｃの分解図である。ケーシング１３５０は、所定量の粒状物質を受容し、貯蔵するための容積を画定する底面１３５２及び上面１３５４を含む。ケーシング１３５０は、アウトソール２１０ｃの内面２１４ｃ上に配置され、ケーシング１３５０の周囲は、側壁２３０によって囲まれ得る。すなわち、底面１３５２は、内面２１４ｃに対向して、内面２１４ｃ上に位置し、かつ、上面１３５４は、ミッドソール２２０ｃの底面２２２ｃに対向し、一方で、側壁２３０はケーシング１３５０を収容する。いくつかの例では、内面２１４ｃからミッドソール２２０ｃに向かって延在するケーシング１３５０の深さは、アウトソール２１０ｃとミッドソール２２０ｃとを分離するキャビティ２４０ｃの深さよりも小さい。ケーシング１３５０の容積は、粒状物質３５０の層で実質的に充填され得、これにより、ケーシング１３５０が実質的にしっかりした状態になる。ミッドソール２２０ｃは、図１〜図３のミッドソール２２０を形成する柔軟性材料から形成され、ミッドソール２２０ｃに十分な柔軟性をもたらし、これにより、ソール構造２００ｃの勾配荷重中に、ケーシング１３５０内に受容され、キャビティ２４０ｃに存在する粒状物質３５０が足の裏の形状と相互作用することを可能にする。
【００６６】
いくつかの例では、ケーシング１３５０は、外側面１８及び内側面２０の間に、かつ、ケーシング１３５０の底面１３５２から上面１３５４に向かって延在する１つ以上の仕切り３３２ｃ、３３４ｃ、３３６ｃを有する。仕切り３３２ｃ〜３３６ｃは、突起とも称され得る。１つの仕切り３３２ｃは、ソール構造２００ｃのミッドフット部分１４に近接して配置され、別の仕切り３３４ｃは、ソール構造２００ｃのフォアフット部分１２に近接して配置され得、また別の仕切り３３６ｃは、ソール構造２００ｃのヒール部分１６に近接して配置され得る。いくつかの構成では、ケーシング１３５０のトウ領域１３００は、図１４に示す図に対して、仕切り３３４ｃの右側に形成され、フォアフット領域１３０２は仕切り３３２ｃと仕切り３３４ｃとの間に形成され、ミッドフット領域１３０４は仕切り３３２ｃと仕切り３３６ｃとの間に形成され、かつ、ヒール部分１３０６は、図１４に示す図に対して、仕切り３３６ｃの右側に形成される。仕切り３３２ｃ、３３４ｃ、３３６ｃは、隣接する領域１３００〜１３０６の間の粒状物質３５０の移動を制限または操作し得る。さらに、異なる量の粒状物質３５０が対応する領域１３００〜１３０６内に存在して、所望のソフトタイプのクッションレベルをもたらし、かつ、ソール構造２００ｃの勾配荷重中に所定の隣接領域間の粒状物質３５０の移動を促進するのを助ける。
【００６７】
また、図１４及び図１５は、図１２の線１４−１４に沿った断面図であり、粒状物質３５０が充填され、ミッドソール２２０ｃとアウトソール２１０ｃとの間のキャビティ２４０ｃ内に存在するケーシング１３５０を示す。より具体的には、図１４及び図１５は、ソール構造２００ｃに荷重がかかっていないとき（図１４）、及び、ソール構造２００ｃが荷重がかかっているとき（図１５）に、アウトソール２１０ｃの接地面２１２ｃが地面２に係合している状態を示す。これらの例は、ケーシング１３５０の底面１３５２が、対応する位置で上面１３５４に向かって突出して、上面１３５４に向かって延在する仕切り３３２ｃ〜３３６ｃを形成していることを示す。いくつかの例では、仕切り３３２ｃ〜３３６ｃはケーシング１３５０内で終端し、隙間が上面１３５４と仕切り３３２ｃ〜３３６ｃを分離する。これらの間隙によって、粒状物質３５０がフットウェア物品１０の使用中にケーシング１３５０の隣接領域１３００〜１３０６の間をある程度移動することが可能になる。逆に、他の構成は、上面１３５４との対応する接点で終端する１つ以上の仕切り３３２ｃ〜３３６ｃを含み、上面１３５４と接触する仕切り３３２ｃ〜３３６ｃによって分離された隣接領域１３００〜１３０６の間の一切の移動を防止する。
【００６８】
いくつかの実施例では、アウトソール２１０ｃは、外側面１８と内側面２０との間に延在し、かつ、ミッドソール２２０ｃに向かう方向に延在する一連の溝４４２，４４４，４４６を画定する。各溝４４２，４４４，４４６は、ミッドソール２２０ｃに向かう方向に曲がって湾曲し、仕切り３３２ｃ、３３４ｃ、３３６ｃのそれぞれに一致するように曲げらている。いくつかの例では、溝４４２〜４４４は柔軟性であり、対応する屈曲領域を形成し、ソール構造２００ｃがウォーキング中、ランニング中またはジャンプ中などの荷重を受けているときのアウトソール２１０ｃが曲がる、湾曲する、さもなければ変形する機能を高める。例えば、図１５は、歩行中などの荷重がソール構造２００ｃに加えられた際に、ソール構造２００ｃのミッドフット部分１４及びヒール部分１６を溝４４２の周りに曲げて地面２から離れるよう曲がっている溝４４２を示す。この例では、仕切り３３２ｃの上のミッドフット領域１３０４に存在する粒状物質３５０は、フォアフット領域１３０２にシフトまたは移動し、かつ／または、仕切り３３６ｃ上のかいこうに存在する粒状物質３５０は、ミッドフット領域１３０４にシフトまたは移動し得る。粒状物質３５０を圧縮することによってもたらされるソフトタイプのクッションに加えて、ケーシング１３５０は、ソール構造２００ｃが圧縮する際に応答タイプののクッションを提供し剛性特性を含み得る。いくつかの構成では、ミッドソール２２０ｃ及びインソール２２８、または、これらの一部を除去して、足の裏とケーシング１３５０の上面１３５４との間の直接的な接触をもたらし得る。これらの構成では、ケーシング１３５０は、ソール構造２００ｃの勾配荷重中に、キャビティ２４０ｃに存在する粒状物質３５０が足の適合することを可能にする柔軟なシュトローベルに相当し得る。
【００６９】
図１６〜図１７を参照すると、いくつかの実施例では、フットウェア物品１０ｄは、アッパー１００と、アッパー１００に取り付けられたソール構造２００ｄと、を含む。図１６は、フットウェア１０ｄの底面斜視図を示す。フットウェア物品１０ｄに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。
【００７０】
ソール構造２００ｄは、層状構造に配置され、それらの間にキャビティ２４０ｄを画定するアウトソール２１０ｄ及びミッドソール２２０ｄを含み得る。アウトソール２１０ｄは、接地面２１２ｄとはアウトソール２１０ｄの反対側に配置された内面２１４ｄを含む。アウトソール２１０ｄは、トウ領域１３００、フォアフット領域１３０２、ミッドフット領域１３０４、及びヒール領域１３０６を形成するように、キャビティ２４０ｄ内の外側面１８と内側面２０との間に延在する一連の溝４４２，４４４，４４６（図１４及び図１５）を画定し得る。いくつかの実施例では、アウトソール２１０ｄは、領域１３００，１３０２，１３０４，１３０６の対応する領域内に位置する１つ以上の閉じた溝１４００，１４０２，１４０４，１４０６をさらに画定する。閉じた溝とは、その両端で閉じられて、キャビティ２４０ｄ内の内部領域を完全にまたは部分的に囲むループを形成する、１つ以上の側面が閉鎖された溝を意味する。対応する溝１４００〜１４０６によって形成された内部領域は、多角形（例えば、長方形または台形）または楕円形のような同一または異なる形状を含み得る。図１６は、対称的に配置された２つの閉じた溝１４００を有するトウ領域１３００を示し、フォアフット領域１３０２は閉じた溝１４０２を有し、ミッドフット領域１３０４は閉じた溝１４０４を有し、ヒール領域１３０６は閉じた溝１４０６を有する。各閉じた溝１４００〜１４０６は、図１７及び図１８に示すように、ミッドソール２２０ｄに向かう方向にキャビティ２４０ｄ内に延在し得るすることができる。
【００７１】
ミッドソール２２０ｄは、フットベッド２２４ｄとはミッドソール２２０ｃの反対側に配置された底面２２２ｄを含み、かつ、アウトソール２１０ｄと一体的に形成され得る。ソール構造２００ｄは、アッパー１００の内部ボイド１０２の少なくとも一部内のフットベッド２２４ｂ上に配置されたインソール２２８をさらに含み得る。底面２２２ｄは、内面２１４ｄと対向してキャビティ２４０ｄを画定する。側壁２３０は、底面２２２ｄと内面２１４ｄとを分離してキャビティ２４０ｄの深さを画定し得、ミッドソール２２２ｄと同様に、アウトソール２１０ｄと一体的に形成され得る。
【００７２】
いくつかの実施例では、粒状物質３５０は、アウトソール２１０ｄの内面２１４ｄ、ミッドソール２２０ｄの底面２２２ｄ、及び、側壁２３０の間のキャビティ２４０ｄ内に存在する。図１２〜図１５の例とは対照的に、粒状物質３５０を収容するために使用されるケーシングは存在しない。代わりに、粒状物質３５０により、キャビティ２４０ｄの容積の一部または全部が充填される。図１７を参照すると、図１６の線１７−１７に沿ったヒール領域１３０６の断面図は、閉じた溝１４０６とソール構造２００ｄのキャビティ２４０ｄ内に存在する粒状物質３５０とを示す。いくつかの例では、アウトソール２１０ｄは、ミッドソール２２０ｄに向かう方向にキャビティ２４０ｄ内に曲がって先細り、閉じた溝１４０６を形成する。他の例では、アウトソール２１０ｄは、キャビティ２４０ｄ内に先細になることなく曲がるか湾曲する。閉じた溝１４０６は、外側面１８に近接して配置された仕切り３６８と、内側面２０に近接して配置された仕切り３７０と、を画定する。外側周辺領域１７１８が、外側面１８において仕切り３６８と側壁２３０との間に形成され、内側周辺領域１７２０が内側面において仕切り３７０と側壁２３０との間に形成され、内部領域１７２２が、仕切り３６８，３７０の間（例えば、内部領域１７２２は閉じた溝１４０６によって囲まれる）に形成される。粒状物質３５０は、領域１７１８、１７２０、１７２２のそれぞれにおいてキャビティ２４０ｄ内に存在し得る。いくつかの実施例では、仕切り３６８，３７０は、アウトソール２１０ｄからキャビティ２４０ｄ内に延在し、ミッドソール２２０ｄの底面２２２ｄに接触することなく終端する遠位端部を有する。すなわち、仕切り３６８，３７０の遠位端と底面２２２ｄとは、対応する間隙によって分離されている。仕切り３６８，３７０と底面２２２ｄとを分離する対応する間隙は、領域１７１８，１７２０，１７２２に存在する粒状物質３５０が、ソール構造２００ｄの勾配荷重中に間隙を介して隣接する領域に移動することを可能にする。他の実施例では、仕切り３６８，３７０は、アウトソール２１０ｄからキャビティ２４０ｄ内に延在し、ミッドソール２２０ｄの底面２２２ｄとの接点で終端する遠位端を有し、これにより、粒状物質３５０が、底面２２２ｄと接触する仕切り３６８，３７０によって分割されて離間された隣接する領域１７１８，１７２０，１７２２間を移動することを防止する。ミッドソール２２０ｄは、図１〜図３のミッドソール２２０を形成する柔軟性材料から形成され、ミッドソール２２０ｄに十分な柔軟性を付与し、これにより、ソール構造２００ｄの勾配荷重中にキャビティ２４０ｄ内に受容された粒状物質３５０が足の裏の形状と相互作用することを可能にする。
【００７３】
図１８を参照すると、図１６の線１８−１８に沿ったフォアフット領域１３０２の部分断面図が、閉じた溝１４０２とソール構造２００ｄのキャビティ２４０ｄ内に存在する粒状物質３５０とを示す。いくつかの例では、アウトソール２１０ｄは、ミッドソール２２０ｄに向かう方向にキャビティ２４０ｄ内に曲がって先細り、閉じた溝１４０２を形成する。他の例では、アウトソール２１０ｄは、キャビティ２４０ｄに先細りすることなく曲がるか湾曲する閉じた溝１４０２は、外側面１８に近接して配置された仕切り４６８と、内側面２０に近接して配置された仕切り４７０と、を画定する。外側周辺領域１８１８は、外側面１８において仕切り４６８と側壁２３０との間に形成され、内側領域１８２０が、内側面２０において仕切り４７０と側壁２３０との間に形成され、内部領域１８２２が、仕切り４６８，４７０の間（例えば、内部領域１８２２は閉じた溝１４０２の間に囲まれる）に形成される。
【００７４】
粒状物質３５０は、領域１８１８，１８２０，１８２２のそれぞれにおいてキャビティ２４０ｄ内に存在し得る。いくつかの実施例では、仕切り４６８，４７０は、アウトソール２１０ｄからキャビティ２４０ｄ内に延在し、ミッドソール２２０ｄの底面２２２ｄに接触することなく終端する遠位端を有する。すなわち、仕切り４６８，４７０の遠位端と底面２２２ｄとは、対応する隙間によって分離されている。仕切り４６８，４７０と底面２２２ｄとを分離する対応する間隙は、領域１８１８，１８２０，１８２２に存在する粒状物質３５０が、ソール構造２００ｄの勾配荷重中に間隙を介して隣接する領域に移動することを可能にする。他の実施例では、仕切り４６８，４７０は、アウトソール２１０ｄからキャビティ２４０ｄ内に延在し、ミッドソール２２０ｄの底面２２２ｄとの接点で終端する遠位端を有し、これにより、粒状物質３５０が、底面２２２ｄと接触する仕切り４６８，４７０によって分割されて離間された隣接する領域間を移動することを防止する。閉じた溝１４００及び１４０４は、上記の実施例で説明した閉じた溝１４０２及び１４０６と同様に構成され得る。いくつかの構成では、ミッドソール２２０ｄまたはその一部を除去して、足の裏を支持するインソール２２８とキャビティ２４０ｄに存在する粒状物質３５０との間の直接的な接触をもたらし得る。これらの構成では、インソール２２８は、ソール構造２００ｄの勾配荷重中にキャビティ２４０ｄ内に存在する粒状物質３５０が足の裏に適合することを可能にする柔軟なシュトローベルに相当し得る。
【００７５】
図１９〜図２１を参照すると、フットウェア物品１０ｅが提供され、これは、アッパー１００と、アッパー１００に取り付けられたソール構造２００ｅと、を含む。図１９は、フットウェア１０ｅの底面斜視図を示す。フットウェア物品１０ｅに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。
【００７６】
ソール構造２００ｅは、層状構造に配置され、それらの間にキャビティ２４０ｅを画定する、アウトソール２１０ｅ及びミッドソール２２０ｅを含み得る。アウトソール２１０ｅは、接地面２１２ｅとはアウトソール２１０ｅの反対側に配置された内面２１４ｅを含む。ミッドソール２２０ｅは、フットベッド２２４ｅとはミッドソール２２０ｅの反対側に配置された底面２２２ｅを含む。ソール構造２００ｅは、アッパー１００の内部ボイド１０２の少なくとも一部内のフットベッド２２４ｅ上に配置されたインソール２２８をさらに含み得る。底面２２２ｅは、内面２１４ｅと対向してキャビティ２４０ｅを画定し、側壁２３０は、底面２２２ｅと内面２１４ｅとを分離してキャビティ２４０ｅの深さを画定する。
【００７７】
いくつかの実施例では、突起プレート３００ｅがキャビティ２４０ｅ内に延在して、フットウェア１０ｅの使用中にキャビティ２４０ｅに存在する粒状物質３５０の移動を制限する。図２０は、アウトソール２１０ｅの内面２１４ｅからミッドソール２２０ｅの底面２２２ｅに向かって矢印３０２の方向に延在する突起プレート３００ｅを示すフットウェア物品１０ｅの分解図を提供する。突起プレート３００ｅ、ミッドソール２２０ｅ及びアウトソール２１０ｅは、ソール構造２００ｅの周囲に延在し、足の輪郭に概ね対応する形状を有する。より具体的には、突起プレート３００ｅ、ミッドソール２２０ｅ、及びアウトソール２１０ｅは、フォアフット部分１２からヒール部分１６まで、また、外側面１８から内側面２０まで延在する。開口部２０００，２００２，２００４，２００６は、突起プレート３００ｅの面の間に延在し、アウトソール２１０ｅの内面２１４ｅの一部を露出させる開口部を形成する。突起プレート３００ｅの面は、足の裏の形状に一致するよう輪郭を有し得る。開口部２０００は、主にフォアフット部分１２に配置され、別の開口部２００２は、フォアフット部分１２に配置されてミッドフット部分１４に延在している。開口部２００４は、ミッドフット部分１４及びヒール部分１６に配置され、開口部２００６は、主としてヒール部分１６に、足の踵骨に対応する位置に配置されている。すなわち、ヒール部分１６の開口部２００６は、概ね足の踵に対応するように配置される。
【００７８】
開口部２０００〜２００６の各々は、対応する量の粒状物質３５０を受容して貯蔵するための、突起プレート３００ｅの内壁によって囲まれた容器に相当する。突起プレート３００ｅがアウトソール２１０ｅの内面２１４ｅからミッドソール２２０ｅの底面２２２ｅに向かって延在する距離は、開口部／容器２０００〜２００６の深さを画定する。いくつかの例では、突起プレート３００ｅは、アウトソール２１０ｅの内面２１４ｅからキャビティ２４０ｅ内に部分的に延在し、突起プレートの上（例えば、開口部２０００〜２００６の外側）に存在する粒状物質３５０がキャビティ２４０ｅを通ってソール構造２００ｅの隣接する部分１２，１４，１６に移動することを可能にする。他の例では、突起プレート３００ｅは、キャビティ２４０ｅの中を内面２１４ｅからミッドソール２２０ｅの底面２２２ｅと接触するまで延在して開口部２０００〜２００６を閉鎖し、これにより、開口部２０００〜２００６内に存在する粒状物質３５０が移動したりシフトして離れることを防止すする。
【００７９】
突起プレート３００ｅは、例えば、ポリマーを含む多様な材料から形成され得る。好適なポリマーには、ポリエステル、熱硬化性ウレタン、熱可塑性ウレタン、種々のナイロン配合物、ゴム、ポリエーテルブロックアミド、ポリブチレンテレフタレート、またはこれらの材料の混合材が含まれる。また、複合材料が、ガラス繊維または炭素繊維を上記の種々のポリマー材料に組み込むことによって形成され得る。いくつかの例では、プレート３００ｅは、ポリマー発泡体材料から形成され得る。したがって、ソール構造２００ｅの所望の特性に応じて、様々な異なる材料を突起プレート３００ｅの製造に利用し得る。ミッドソール２２０ｅは、図１〜図３のミッドソール２２０を形成する柔軟性材料から形成されてもよい。ミッドソール２２０ｅに十分な柔軟性を付与することにより、ミッドソール２２０ｅがアウトソール２１０ｅの内面２１４ｅに向かって並進するにつれ、ソール構造２００ｅの勾配荷重中に、キャビティ２４０ａ内に存在する突起プレート３００ｅ及び粒状物質３５０が足の裏にクッションを提供すことを可能にする。
【００８０】
図２１を参照すると、図１９の線２１−２１に沿った断面図が、ミッドソール２２０ｅとアウトソール２１０ｅとの間のキャビティ２４０ｅ内に存在する粒状物質３５０を示す。この例は、アウトソール２１０ｅの内面２１４ｅからキャビティ２４０ｅ内に部分的に延在する突起プレート３００ｅと、内面２１４ｅを露出させる突起プレート３００ｅの面を貫通する開口部２０００〜２００６と、を示す。粒状物質３５０により、底面２２２ｄと内面２１４ｅまたは突起プレート３００ｅとの間のキャビティ２４０ｅの容積の一部または全部が満たされ得る。突起プレート３００ｅが内面２１４ｅから離れる方向に延在する距離は、開口部２０００〜２００６の深さを画定する突起プレート３００ｅの内壁の高さに相当する。したがって、開口部２０００〜２００６の深さ内に存在する粒状物質３５０は、隣接する開口部に移動することが制限される。しかしながら、キャビティ２４０ｅ内に占有されていない空間が存在する場合、開口部２０００〜２００６の深さより上に存在する粒状物質３５０は、隣接する開口部間を移動し得る。いくつかの構成では、ミッドソール２２０ｅまたはその一部を除去して、足の裏を支持するインソール２２８とキャビティ２４０ｅに存在する粒状物質３５０との間の直接的な接触をもたらし得る。これらの構成では、インソール２２８は、ソール構造２００ｅの勾配荷重中にキャビティ２４０ｅに存在する粒状物質３５０が足の裏に適合することを可能にする柔軟なシュトローベルに相当し得る。
【００８１】
図２２〜図２４を参照すると、いくつかの実施例では、フットウェア物品１０ｆは、アッパー１００とアッパー１００に取り付けられたソール構造２００ｆとを含む。フットウェア物品１０ｆに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。ソール構造２００ｆは、層状構造に配置され、それらの間にキャビティ２４０ｆを画定するアウトソール２１０ｆ及びミッドソール２２０ｆを含み得る。アウトソール２１０ｆは、接地面２１２とはアウトソール２１０ｆの反対側に配置される内面２１４ｆを含む。ミッドソール２２０ｆは、フットベッド２２４とはミッドソール２２０ｆの反対側に配置される底面２２２ｆを含む。底面２２２ｆは内面２１４ｆと対向してその間にキャビティ２４０ｆを画定する。側壁２３０は、底面２２２ｆと内面２１４ｆとを分離してキャビティ２４０ｆの深さを画定し得る。
【００８２】
いくつかの実施例では、突起３００ｆがキャビティ２４０ｆ内に延在して足のクッションを提供すと共に、フットウェア１０ｆの使用中にキャビティ２４０ａ内に存在する粒状物質３５０を含む房状ケーシング４００の動作を支持し、かつ、制限する。突起３００ｆは、図１〜図３の突起３００を形成する１つ以上のポリマー発泡体材料から形成され、荷重がかかったときに弾力のある圧縮性をもたらして地面反力を減衰させる。図２３は、アウトソール２１０ｆの内面２１４ｆからミッドソール２２０ｆの底面２２２ｆに向かう方向に延在する突起３００ｆを示すフットウェア物品１０ｆの分解図を提供する。この実施例では、粒状物質３５０（例えば、発泡ビーズ）を含む房状ケーシング４００は、アウトソール２１０ｆの内面２１４ｆから延在する突起３００ｆ上に配置される。房状ケーシング４００は、ミッドソール２２０ｆ及びアウトソール２１０ｆの輪郭に略一致するようなサイズ及び形状にされ得る。いくつかの例では、突起３００ｆは反復列に配置され、各突起３００ｆは隣接する突起３００ｆから等間隔に離間される。他の例では、突起３００ｆは交互に互い違いに反復列に配置されている。ミッドソール２２０ｆは、図１〜図３のミッドソール２２０を形成する柔軟性材料から形成て十分な柔軟性を有するミッドソール２２０ｆを提供し、これにより、ソール構造２００ｆの勾配荷重中に、房状ケーシング４００内に受容され、キャビティ２４０ｆ内に存在する粒状物質３５０が足の裏の形状と相互作用することを可能にする。
【００８３】
房状ケーシング４００は、柔軟性材料から形成され得る。１つの構成では、房状ケーシング４００は、メッシュ材料から形成される。これに加えてまたはこれに代えて、房状ケーシング４００は、ナイロン材料から形成されてもよい。したがって、房状ケーシング４００は、柔軟性材料、メッシュ材料、及び／または、ナイロン材料から形成され得る。随意的に、房状ケーシング４００は、受容された粒状物質３５０が、内面２１４ｆ及び底面２２２ｆの表面形状それぞれに、ならびに、側壁２３０の輪郭など、ソール構造２００ｆに適合することを可能にする任意の適切な材料から形成され得る。いくつかの構成では、ミッドソール２２０ｆまたはその一部を除去して、足の裏と粒状物質３５０を含む房状ケーシング４００との間の直接的な接触をもたらし得る。
【００８４】
ケーシング４００が突起３００ｆ上のキャビティ２４０ｆに受容された際に、房状ケーシング４００の第１の端部４０２はヒール部分１６に近接して位置し、房状ケーシング４００の第２の端部４０４はフォアフット部分１２に近接して位置する。房状ケーシング４００は、材料の一部を互いにタフティング、接合、または締結することによって形成されて、それぞれが対応する量の粒状物質３５０で満たされる房状領域またはポケット４４０を画定し得る。第１の端部４０２及び第２の端部４０４、ならびに、ソール構造２００ｆの外側面１８と内側面２０との間に配置される。いくつかの例では、各ポケット４４０は、略同じ量の粒状物質３５０を含み、他の例では、ポケット４４０の少なくとも１つは、異なる量の粒状物質３５０を含む。例えば、ヒール部分１６に近接して位置するポケット４４０内により多くの粒状物質３５０を含み、足の踵領域におけるソフトタイプのクッションレベルを高めることが望ましいことがある。ポケット４４０は、対応する量の粒状物質３５０が隣接するポケットに移動するのを制限し得る。しかしながら、粒状物質３５０のある程度の動作は、対応するポケット４４０内で許容されて、ソール構造２００ｆの勾配荷重中に流体クッションを提供し得る。言い換えれば、ポケット４４０は、ソール構造２００ｆの繰り返される圧縮中の粒状物質の移動によって生じる、ソール構造２００ｆの領域におけるクッションの損失を防止するのに有効であるが、各ポケット４４０内の粒状物質３５０の動作は可能にする。
【００８５】
図２４を参照すると、図２２の線２４−２４に沿った断面図は、キャビティ２４０ｆ内、かつ、内面２１４ｆから延在する突起３００ｆの上に受容された粒状物質３５０を含む房状ケーシング４００を示す。図２４は、房状ケーシング４００を支持する突起３００ｆと、ソール構造２００ｆに荷重がかかっていないとき（すなわち、ソール構造２００ｆが静止しているとき）に、ミッドソール２２０ｆから離間している突起３００ｆと、を示す。しかしながら、ソール構造２００ｆを圧縮すると、ミッドソール２２０ｆの底面２２２ｆは、粒状物質３５０を含む房状ケーシング４００と協働して、アウトソール２１０ｆに向かって並進し、１つ以上の突起３００ｆと接触し得る。ここで、突起３００ｆは、ソール構造２００ｆの勾配荷重中に房状ケーシング４００のポケット４４０内に配置された粒状物質３５０が圧縮するにつれ、底面２２２ｆと接触しながら圧縮され得る。上述したように、粒状物質３５０による圧縮性はソフトタイプのクッションを提供し、一方、突起３００ｆによる圧縮性は応答タイプのクッションを提供し得る。したがって、房状ケーシング４００内に存在する突起３００ｆ及び粒状物質３５０は、かかる荷重が変化するにつれて変化する勾配クッションをフットウェア物品１０ｆにもたらすように協働し得る（すなわち、荷重が大きくなるほど、突起３００ｆが圧縮され、したがって、フットウェア１０ｆがより高い応答性を発揮する）。いくつかの構成では、ミッドソール２２０ｆまたはその一部を除去して、足の裏と、房状ケーシング４００のポケット４４０内に配置され、キャビティ２４０ｆに存在する粒状物質３５０とのより密接な接触をもたらし得る。これらの構成では、足の裏に対向するケーシング４００の面は、ソール構造２００ｆの勾配荷重中にポケット４４０に存在する粒状物質３５０が足の裏に適合することを可能にする柔軟なシュトローベルに相当し得る。
【００８６】
図２５〜図２７を参照すると、フットウェア物品１０ｇが提供され、これはアッパー１００と、アッパー１００に取り付けられたソール構造２００ｇと、を含む。フットウェア物品１０ｇに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。ソール構造２００ｇは、層状構造に配置され、それらの間にキャビティ２４０ｇを画定するアウトソール２１０ｇ及びミッドソール２２０ｇを含む。アウトソール２１０ｇは、接地面２１２とはアウトソール２１０ｇの反対側に配置された内面２１４ｇを含む。ミッドソール２２０ｇは、フットベッド２２４とはミッドソール２２０ｇの反対側に配置される底面２２２ｇを含む。底面２２２ｇは内面２１４ｇに対向してこれらの間にキャビティ２４０ｇを画定する。側壁２３０は、底面２２２ｇと内面２１４ｇとを分離してキャビティ２４０ｇの深さを画定し得る。
【００８７】
突起３００ｇは、キャビティ２４０ｇ内に延在して足にクッションを提供し、同時に、フットウェア１０ｆの使用中にクッション層５００とキャビティ２４０ｇに存在する粒状物質３５０を含む房状ケーシング４００とを支持する。突起３００ｇは、荷重がかかったときに弾力のある圧縮性をもたらして地面反力を減衰させる、図１〜図３の突起３００を形成する１つ以上のポリマー発泡体材料から形成され得る。図２６は、房状ケーシング４００、クッション層５００、及び、アウトソール２１０ｇの内面２１４ｇからミッドソール２２０ｇの底面２２２ｇに向かう方向に延在する突起３００ｇを示すフットウェア物品１０ｇの分解図を提供する。房状ケーシング４００及びクッション層５００はそれぞれ、フォアフット部分１２、ミッドフット部分１４、及び、ヒール部分１６を通ってそれぞれ貫延在する長さと、外側面１８及び内側面２０の間の幅と、をそれぞれ有し得る。房状ケーシング４００及びクッション層５００は、ミッドソール２２０ｇ及びアウトソール２１０ｇの輪郭に略一致するようなサイズ及び形状にすることができる。ソール構造２００ｇが組み立てられ際、クッション層５００は、突起３００ｇの遠位端と房状ケーシング４００との間に置かれ、これらと接触し得る。クッション層５００は、クッション層５００の面に沿って配置された複数のリッジ５１０を形成していわゆるエッグクラッド形状を画定する輪郭構造を含み得る。クッション層５００は、エチルビニルアセテートまたはポリウレタンのような１つまたは複数のポリマー発泡体材料から形成され得る。各突起３００ｇは、アウトソール２１０ｇに対向するクッション層５００の対応するリッジ５１０と位置合わせされ得る。ミッドソール２２０ｇは、十分な柔軟性を有する、図１から図３のミッドソール２２０を形成する柔軟性材料から形成され、これにより、ソール構造２００ｇの勾配荷重中に、房状ケーシング４００内に受容され、キャビティ２４０ｇ内に存在する粒状物質３５０が足の裏の形状と相互作用することを可能にする。
【００８８】
図２７を参照すると、図２５の線２７−２７に沿った断面図が、粒状物質３５０を含む房状ケーシング４００と、アウトソール２１０ｇの内面２１４ｇから延在する突起３００ｇ上のキャビティ２４０ｇ内に受容されたクッション層５００と、を示す。図２７は、アウトソール２１０ｇに対向しており、内面２１４ｇからキャビティ２４０ｇ内に延在する突起３００ｇによって支持されているクッション層５００の各リッジ５１０を示す。一対のリッジ５１０とキャビティ２４０ｇ内に位置する突起３００ｇとは協働して、荷重がかかったときに弾力のある圧縮性をもたらして接地反力を減衰させ得る。例えば、リッジ５１０と突起３００ｇとの対は、荷重がかかったときに互いに圧縮して、足にかかる衝撃の大きさを減衰させるばね効果をもたらし得る。いくつかの例では、リッジ５１０と突起３００ｇとの対の間のボイドには、粒状物質３５０が充填され得る。リッジ５１０と突起３００ｇとの対によってもたらされる弾力のある圧縮性に加えて、ケーシング４００は、ソール構造２００ｇの勾配荷重中に圧縮する。上述のように、粒状物質３５０による圧縮性はソフトタイプのクッションを提供し、一方、突起３００ｇによる圧縮性は応答タイプのクッションをもたらし得る。したがって、突起３００ｇ、クッション層５００、及び、房状ケーシング４００内に存在する粒状物質３５０は協働して、かかる荷重が変化するにつれて変化する勾配クッションをフットウェア１０ｇへのもたらし得る（すなわち、荷重が大きくなるにつれ、より多くの突起３００ｇが圧縮され、したがって、フットウェア１０ｇがより高い応答性を発揮する）。いくつかの構成では、ミッドソール２２０ｇまたはその一部を除去して、足の裏と粒状物質３５０を含む房状ケーシング４００との間の直接的な接触をもたらし得る。
【００８９】
図２８及び図２９を参照すると、いくつかの実施例では、フットウェア物品１０ｈは、アッパー１００及びアッパー１００に取り付けられたソール構造２００ｈを含む。フットウェア物品１０ｈに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。ソール構造２００ｈは、層状構造に配置され、それらの間にキャビティ２４０ｈを画定するアウトソール２１０ｈ及びミッドソール２２０ｈを含み得る。アウトソール２１０ｈは、接地面２１２とはアウトソール２１０ｈの反対側に配置される内面２１４ｈを含む。ミッドソール２２０ｈは、フットベッド２２４とはミッドソール２２０ｈの反対側に配置される底面２２２ｈを含む。底面２２２ｈは内面２１４ｈと対向してそれらの間にキャビティ２４０ｈを画定する。側壁２３０は、底面２２２ｈと内面２１４ｈとを分離してキャビティ２４０ｈの深さを画定し得る。
【００９０】
いくつかの実施例では、ソール構造２００ｈは、クッション層５００ｈと、キャビティ２４０ｈ内に配置された粒状物質３５０と、を含む。図２９を参照すると、図２８の線２９−２９に沿った断面図が、アウトソール２１０ｈの内面２１４ｈに配置されたクッション層５００ｈと、ソール構造２００ｈに荷重がかかっていない際（すなわち、ソール構造２００ｈが静止している際）にクッション層５００ｈとミッドソール２２０ｈの底面２２２ｈとの間に配置された所定量の粒状物質３５０と、を示す。いくつかの実施例では、クッション層５００ｈは、キャビティ２４０ｈ内の空きスペースの一部を占めるような大きさと形状のポリマー発泡体のスラブを含む。ここで、クッション層５００ｈと底面２２２ｈとの間の隙間は、粒状物質３５０を受容するキャビティ２４０ｈ内の空きスペースの残りの部分を画定する。いくつかの例では、粒状物質３５０（例えば、泡状ビーズ）が、側壁２３０、ミッドソール２２０ｈの底面２２２ｈ、及び、クッション層５００ｈに囲まれた領域（粒状物質３５０の個々のビーズの間のボイド以外）を略占めることを可能にするように、キャビティ２４０ｈ内の空きスペースの残りの部分をわずかに超えて充填される（例えば詰め込まれる）。ミッドソール２２０ｈは、図１〜図３のミッドソール２２０を形成する柔軟性材料から形成され得、十分な柔軟性を有するミッドソール２２０ｈを提供し、これによって、ソール構造２００ｈの勾配荷重中に、キャビティ２４０ｈ内に受容された粒状物質３５０が足の裏の形状と相互作用することを可能にする。
【００９１】
ソール構造２００ｈの勾配荷重中に、ミッドソール２２０ｈは、ミッドソール２２０ｈとクッション層５００ｈとの間で粒状物質３５０が圧縮するにつれ、アウトソール２１０ｈに向かって並進し得る。ここで、クッション層５００ｈは、アウトソール２１０ｈとミッドソール２２０ｈとの間で弾力的に圧縮する。クッション層５００ｈは、クッション層５００ｈ上に存在する所定量の粒状物質３５０（例えば、発泡ビーズ）と共に、機能性を高め、従来ミッドソールが提供するクッション性を高めるように協働し得る。例えば、ソール構造２００ｈに荷重がかかっている際に、粒状物質３５０の圧縮は、地面反力の初期衝撃時にソフトタイプのクッションレベルをもたらし、クッション層５００ｈの圧縮は初期衝撃の後に起こり、応答タイプのクッションを提供し得る。したがって、キャビティ２４０ｈ内に存在する粒状物質３５０及びクッション層５００ｈは協働して、かかる荷重が変化するにつれて変化する勾配クッションをフットウェア物品１０ｈにもたらし得る（すなわち、荷重が大きいほどクッション層５００ｈは圧縮し、したがって、フットウェア１０ｈがより高い応答性を発揮する）。
【００９２】
図３０及び図３１を参照すると、いくつかの実施例において、フットウェア物品１０ｉは、アッパー１００とアッパー１００に取り付けられたソール構造２００ｉとを含む。フットウェア物品１０ｉに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。ソール構造２００ｉは、層状構造に配置され、それらの間にキャビティ２４０ｉを画定するアウトソール２１０ｉ及びミッドソール２２０ｉを含み得る。アウトソール２１０ｉは、接地面２１２とはアウトソール２１０ｉの反対側に配置される内面２１４ｉを含む。ミッドソール２２０ｉは、フットベッド２２４とはミッドソール２２０ｉの反対側に配置される底面２２２ｉを含む。底面２２２ｉは内面２１４ｉと対向してそれら間にキャビティ２４０ｉを画定する。側壁２３０は、底面２２２ｉと内面２１４ｉとを分離してキャビティ２４０ｉの深さを画定し得る。
【００９３】
いくつかの実施例では、ソール構造２００ｉは、流体充填チャンバ６００と、キャビティ２４０ｉ内に配置された粒状物質３５０と、を含む。いくつかの例では、流体充填チャンバ６００は、加圧流体を受容し、その中に加圧流体を保持するための耐久性のある密封バリアを形成する内部ボイドを画定する。加圧流体は空気であり得る。流体充填チャンバ６００を形成するために、広範囲のポリマー材料を利用し得る。ポリマー材料の選択において、引張強度、伸長特性、疲労特性、及び動的弾性率などの工学的特性、ならびに、チャンバ６００に収容された流体の拡散を防止する材料の機能が考慮される。流体充填チャンバ６００を形成するために使用される例示的な材料は、熱可塑性ウレタン、ポリウレタン、ポリエステル、ポリエステルポリウレタン、及びポリエーテルポリウレタンのうちの１つ以上を含み得る。
【００９４】
図３１を参照すると、図３０の線３１−３１に沿った断面図は、アウトソール２１０ｉの内面２１４ｉ上に配置された流体充填チャンバ６００と、ソール構造２００ｉに荷重がかかっていない際（すなわち、ソール構造２００ｉが静止している際）に流体充填チャンバ６００とミッドソール２２０ｉの底面２２２ｉとの間に配置された所定量の粒状物質３５０を示すに加えられる。いくつかの例では、流体充填チャンバ６００は、キャビティ２４０ｉ内の空きスペースの一部を占めるような大きさ及び形状にされる。ここで、流体充填チャンバ６００と底面２２２ｉとの間の隙間は、粒状物質３５０を受容するキャビティ２４０ｉ内の空きスペースの残りの部分を画定する。いくつかの例では、粒状物質３５０（例えば、泡状ビーズ）が、キャビティ２４０ｉ内の空きスペースの残りの部分をわずかに超えて占めて（例えば、詰め込まれて）、粒状物質３５０が、側壁２３０、ミッドソール２２０ｉの底面２２２ｉ、及び、流体充填チャンバ６００に囲まれた領域（粒状物質３５０の個々のビーズ間のボイドを除く）を略占めることを可能にする。ミッドソール２２０ｉは、図１〜図３のミッドソール２２０を形成する柔軟性材料から形成されて、十分な柔軟性を有するミッドソール２２０ｉを提供し、これにより、ソール構造２００ｉの勾配荷重中に、キャビティ２４０ｉ内に受容された粒状物質３５０が足の裏の形状と相互作用することを可能にする。
【００９５】
ソール構造２００ｉの勾配荷重中に、ミッドソール２２０ｉは、粒状物質３５０がミッドソール２２０ｉと流体充填チャンバ６００との間で圧縮するにつれて、アウトソール２１０ｉに向かって並進し得る。ここで、流体充填チャンバ６００内の流体がアウトソール２１０ｈとミッドソール２２０ｈとの間で圧縮し、流体充填チャンバ６００上に存在する所定量の粒状物質３５０（例えば、発泡ビーズ）と共に、従来のミッドソールが提供する機能性及びクッション性を高めるために協働し得る。例えば、ソール構造２００ｉに荷重がかかる際に、粒状物質３５０の圧縮は、地面反力の中にソフトタイプのクッションレベルをもたらし、初期衝撃後に起こり得る、流体充填チャンバ６００に含まれる流体の圧縮は、応答タイプのクッションを提供す。したがって、キャビティ２４０ｉ内に存在する粒状物質３５０及び流体充填チャンバ６００は協働して、かかる荷重が変化するにつれて変化する勾配クッションをフットウェア物品１０ｉにもたらし得る（すなわち、荷重が大きいほど、流体充填チャンバ６００内の流体がより圧縮し、したがって、フットウェア１０ｉがより高い反応性を発揮する）。
【００９６】
図３２及び図３３を参照すると、フットウェア物品１０ｊが提供され、これはアッパー１００及びアッパー１００に取り付けられたソール構造２００ｊを含む。フットウェア物品１０ｊに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。
【００９７】
ソール構造２００ｊは、層状構造に配置され、それらの間にキャビティ２４０ｉを画定する、図３０及び図３１のアウトソール２１０ｊ及びミッドソール２２０ｉを含み得る。ソール構造２００ｊはまた、流体充填チャンバ６００と、キャビティ２４０ｉ内に配置された粒状物質３５０と、を含む。他の実施例では、流体充填チャンバ６００の代わりに、図２８及び図２９の底部クッション部材５００ｈが内面２１４ｉ上に配置され得る。
【００９８】
図３３を参照すると、図３２の線３３−３３に沿った断面図が、アウトソール２１０ｊの内面２１４ｉ上に配置された流体充填チャンバ６００と、ソール構造２００ｊに荷重がかかっていない際（すなわち、ソール構造２００ｊが静止している際）に流体充填チャンバ６００とミッドソール２２０ｉの底面２２２ｉとの間に配置された所定量の粒状物質３５０と、を示す。図３０及び図３１のアウトソール２１０ｉが略平坦な接地面２１２を含むことを示す一方で、図３３は、キャビティ２４０ｉから離れるように延在し、地面と接触する一連のボトムリッジまたは突起２１３ｊを画定する接地面２１２ｊを含む、フットウェア物品１０ｊのアウトソール２１０ｊを示す。ここで、接地面２１２ｊは、フットウェア１０ｊの使用中に地面と係合のするためにソール構造２００ｊが転動する際に、アウトソール２１０ｊが曲げられ撓むことを可能にする。
【００９９】
突起２１３ｊは、荷重がかかったときにミッドソール２２０ｉに向かって移動し、粒状物質３５０をミッドソール２２０ｉに向けて付勢するので、フットウェア物品１０ｊの使用中にいわゆるピストンとして作用し得る。ミッドソール２２０ｉは、フットウェア物品１０ｉに関して上述したように、柔軟性材料から形成されるので、突起２１３ｊ及び粒状物質３５０のこのような上方への移動は、ユーザの足の裏で感じられ、ユーザに使用中に顕著で応答性の高いクッション性をもたらす。このようなクッション性は、アウトソール２１０ｊに沿った所定の位置に突起２１３ｊを位置決めすることによって、及び／または、突起２１３ｊの相対的なサイズを調整することによって調整され得る。例えば、ヒール部分１６は、フォアフット部分１２よりも大きな突起２１３ｊ、及び／または、突起２１３ｊのより大きな密度を含むことで、踵への衝撃が起こっている間により多くの粒状物質３５０の上方への動きをもたらし得る。
【０１００】
図３４及び図３５を参照すると、フットウェア物品１０ｋが提供され、これはアッパー１００とアッパー１００に取り付けられたソール構造２００ｋとを含む。フットウェア物品１０ｋに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。
【０１０１】
ソール構造２００ｋは、層状構造に配置され、それらの間にキャビティ２４０ｋを画定する、アウトソール２１０ｋと図２２〜図２３のミッドソール２２０ｆとを含み得る。図３５を参照すると、図３４の線３５−３５に沿った部分断面図が、キャビティ２４０ｋから離れて延在する一連のボトムリッジまたは突起２１３ｋを画定する接地面２１２ｋと、接地面２１２ｋとはアウトソール２１０ｋの反対側に配置され、キャビティ２４０ｋ内に延在する一連のアッパーリッジまたは突起２１５ｋを画定する内面２１４ｋと、を含むものとしてアウトソール２１０ｋを示している。
【０１０２】
ボトムリッジ２１３ｋは、図３２及び図３３のボトムリッジ２１３ｊと略同一であり、したがって、延在して地面と接触して、フットウェア１０ｋの使用中にソール構造２００ｋが地面との係合のために転動すると、アウトソール２１０ｋが曲がって撓むことを可能にする。アッパーリッジ２１５ｋはキャビティ２４０ｋ内に延在し、フットウェア１０ｋの使用中にキャビティ２４０ｋ内に存在する粒状物質３５０を含む房状ケーシング４００の動きを支持し、かつ、制限する。さらに、アッパーリッジ２１５ｋは、ボトムリッジ２１３ｋに加えられる荷重が対応するアッパーリッジ２１５ｋに直接的に伝達されるように、ボトムリッジ２１３ｋのそれぞれと位置決めされ、これにより、アウトソール２１０ｋと房状ケーシング４００との間に荷重経路を形成し得る。
【０１０３】
房状ケーシング４００は、図２２〜図２４を参照して上述されており、ケーシング４００が、アウトソール２１０ｋの内面２１４ｋによって画定されるアッパーリッジ２１５ｋ上のキャビティ２４０ｋによって受容された際に、ヒール部分１６に近接する第１の端部４０２と、フォアフット部分１２に近接する第２の端部４０４と、を含む。ケーシング４００は、等しい量または異なる量の粒状物質３５０を含むポケット４４０を含み得る。図２２〜図２４のアウトソール２１０ｆが、内面２１４ｆからキャビティ２４０ｆ内に延在する突起３００ｆを含む一方で、図３５は、フットウェア１０ｋの使用中に足のための応答タイプのクッションを提供すために粒状物質３５０を含有するケーシング４００を支持するように、突起３００ｆの代わりにキャビティ２４０ｋ内に延在する内面２１４ｋのアッパーリッジ２１５ｋを示す。応答タイプのクッションは、ミッドソール２２０ｆと房状ケーシング４００とが協働して使用中にアッパーリッジ２１５ｋでアウトソール２１０ｋに荷重を加える際に、アッパーリッジ２１５ｋから各ボトムリッジ２１３ｋへの直接的な荷重経路を形成ることによってさらに高められる。
【０１０４】
図３５は、ソール構造２００ｋに荷重がかかっていない際（すなわち、ソール構造２００ｋが静止している際）に、房状ケーシング４００を支持し、ミッドソール２２０ｆから離間しているアッパーリッジ２１５ｋを示す。しかしながら、ソール構造２００ｋを圧縮すると、ミッドソール２２０ｆの底面２２２ｆは、粒状物質３５０を含む房状ケーシング４００と協働して、アウトソール２１０ｋに向かって並進し、内面２１４ｋによって画定された１つ以上のアッパーリッジ２１５ｋと接触する。ここで、アッパーリッジ２１５ｋは、ソール構造２００ｋの勾配荷重中に、房状ケーシング４００のポケット４４０内に位置する粒状物質３５０が圧縮して動くにつれ、底面２２２ｆと接触しながら圧縮し得る。
【０１０５】
アウトソール２１０ｋは、弾性タイプの材料で形成され、アッパーリッジ２１５ｋが図２２〜図２４の突起３００ｆと同じように圧縮する際に、応答タイプのクッションを提供し得る。上述のように、粒状物質３５０による圧縮性は、ソフトタイプのクッションを提供す。したがって、アッパーリッジ２１５ｋと房状ケーシング４００内に存在する粒状物質３５０とは、かかる荷重が変化するにつれて変化する勾配クッションをフットウェア１０ｋにもたらすように協働し得る（すなわち、荷重が大きいほど、アッパーリッジ２１５ｋはより圧縮され、したがって、フットウェア１０ｋがより高い応答性を発揮する）。上述したように、ミッドソール２２０ｆは、図１〜図３のミッドソール２２０を形成する柔軟性材料から形成され、ミッドソール２２０ｆに十分な柔軟性をもたあし、これにより、ソール構造２００ｋの勾配荷重中に、房状ケーシング４００内に受容され、キャビティ２４０ｋに存在する粒状物質３５０が足の裏の形状と相互作用することを可能にする。いくつかの構成では、ミッドソール２２０ｆまたはその一部を除去して、足の裏と粒状物質３５０を含む房状ケーシング４００との間の直接的な接触をもたらし得る。
【０１０６】
図３６及び図３７を参照すると、フットウェア物品１０ｌが提供され、これは、アッパー１００とアッパー１００に取り付けられたソール構造２００ｌとを含む。フットウェア物品１０ｌに対するフットウェア物品１０に関連する構成要素の構造及び機能の実質的な類似性を考慮して、同様の符号が同様の構成要素を識別するために図面及び以下に使用され、文字拡張子を含む同様の符号は、変更された構成要素を識別するために使用される。ソール構造２００ｌは、層状構造に配置され、それらの間にキャビティ２４０ｌを画定する、図２５〜図２７のアウトソール２１０ｌ及びミッドソール２２０ｇを含み得る。。
【０１０７】
図３７を参照すると、図３６の線３７−３７に沿った部分断面図が、アウトソール２１０ｌが、キャビティ２４０ｌから離れるように延在する一連のボトムリッジ２１３ｌを画定する接地面２１２ｌと、接地面２１２ｌとはアウトソール２１０ｌの反対側に配置され、キャビティ２４０ｌ内に延在する一連のアッパーリッジ２１５ｌを含む。ボトムリッジ２１３ｌは、図３２及び図３３のボトムリッジ２１３ｊと略同一であり、したがって、延在して地面と接触し、フットウェア１０ｌの使用中に底面との係合のためにソール構造２００ｌが転動すると、アウトソール２１０ｌが曲がって撓むことを可能にする。
【０１０８】
アッパーリッジ２１５ｌは、キャビティ２４０ｌ内に延在して足にクッションを提供すると共に、フットウェア１０ｌの使用中に、クッション層５００ｌとキャビティ２４０ｌに存在する粒状物質３５０を含む房状ケーシング４００とを支持する。房状ケーシング４００及びクッション層５００ｌは、ミッドソール２２０ｇ及びアウトソール２１０ｌの周囲に略一致するようなサイズ及び形状にされ得る。ソール構造２００ｌが組み立てられる際、クッション層５００ｌは、アウトソール２１０ｌの内面２１４ｌのアッパーリッジ５１５ｌの遠位端と房状ケーシング４００との間に置かれ、かつ、これらと接触し得る。
【０１０９】
クッション層５００ｌは、いわゆる卵形の形状を画定するように、クッション層５００ｌの両面に沿って配置された複数のボトムリッジ５１０ｌ及びアッパーリッジ５１５ｌを形成する輪郭構造を含み得る。１つの構成では、ボトムリッジ５１０ｌ及びアッパーリッジ５１５ｌは、アウトソール２１０ｌのボトムリッジ２１３ｌ及びアッパーリッジ２１５ｌのそれぞれと位置決めされて、使用中に房状ケーシング４００から地面への直接的な荷重経路を形成する。クッション層５００ｌは、エチル−ビニルアセテートまたはポリウレタンのような１つまたは複数のポリマー発泡体材料から形成され得る。アウトソール２１０ｌの各アッパーリッジ２１５ｌは、アウトソール２１０ｌに対向するクッション層５００の対応するボトムリッジ５１０ｌと位置合わせされ得る。クッション層５００ｌの各アッパーリッジ５１５ｌは、房状ケーシング４００の対応するポケット４４０に対向し、かつ、接触し得る。上述したように、ミッドソール２２０ｇは、図１〜図３のミッドソール２２０を形成する柔軟性材料から形成されて、十分な柔軟性を有するミッドソール２２０ｇを提供し、これにより、ソール構造２００ｌの勾配荷重中に、房状ケーシング４００内に受容され、キャビティ２４０ｌ内に存在する粒状物質３５０が足の裏の形状と相互作用することを可能にする。
【０１１０】
図３７は、アウトソール２１０ｌに対向し、キャビティ２４０ｌ内に延在する内面２１４ｌの対応するアッパーリッジ２１５ｌによって支持されているクッション層５００ｌの各ボトムリッジ５１０ｌを示す。キャビティ２４０ｌ内に位置するボトムリッジ５１０ｌとアッパーリッジ２１５ｌの対応する対は協働して荷重がかかったときに弾力のある圧縮性をもたらし、地面反力を減衰させ得る。例えば、ボトムリッジ５１０ｌとアッパーリッジ２１５ｌとの対は、荷重下で互いに圧縮して、足への衝撃の大きさを減衰させるばね効果をもたらし得る。いくつかの例では、ボトムリッジ５１０ｌとアッパーリッジ２１５ｌとの間のボイドは粒状物質３５０で満たされ得る。ボトムリッジ５１０ｌとアッパーリッジ２１５ｌとの対によって実現される弾力のある圧縮性に加えて、房状ケーシング４００のポケット４４０が、ソール構造２００ｌの勾配荷重中に圧縮し動く。上述したように、粒状物質３５０による圧縮性はソフトタイプのクッションを提供し、ボトムリッジ５１０ｌ及びアッパーリッジ２１５ｌによる圧縮性は、応答タイプのクッションを提供し得る。したがって、アウトソール２１０ｌ、クッション層５００ｌ、及び、房状ケーシング４００内に存在する粒状物質３５０は協働して、かかる荷重が変化するにつれて変化する勾配クッションをフットウェア物品１０ｌにもたらし得る（すなわち、荷重が大きいほど、リッジ３１０ｌ、３１５ｌ、５１０ｌ、５１５ｌが圧縮され、従って、フットウェア１０ｌがより高い応答性を発揮する）。いくつかの構成では、ミッドソール２２０ｇまたはその一部を除去して、足の裏と粒状物質３５０を含む房状ケーシング４００との間の直接的な接触をもたらし得る。
【０１１１】
以下の条項は、上記のフットウェア物品のためのソール構造の例示的な構成を提供する。
【０１１２】
第１項：フットウェア物品は、アッパーとアッパーに取り付けられたアウトソールとを備え、接地面と、接地面とはアウトソールの反対側に配置される内面と、を有している。ミッドソールは、フットベッドと、フットベッドとはミッドソールの反対側に配置された底面とを有しており、底面は、アウトソールの内面に対向してその間にキャビティを画定しており、第１の一連の突起は、内面及び底面の一方から内面及び底面の他方に向かって第１の方向においてキャビティ内に延在している。第１の一連の突起は、内面及び底面の他方から離間している。第２の一連の突起は、第１の方向の内面及び底面の一方から内面及び底面の他方に向かってキャビティ内に延在し、第２の一連の突起は第１の一連の突起とは異なる高さを有しており、内面及び底面の他方から離間して配置されている。所定量の粒状物質はキャビティ内に配置される。
【０１１３】
第２項：内面及び底面の一方は内面であり、所定量の粒状物質は、第１の一連の突起の基部の周り及び第２の一連の突起の基部の周りに配置されている、第１項のフットウェア物品。
【０１１４】
第３項：第１の一連の突起は、第１の方向において減少する断面積を含む、前記項のいずれかのフットウェア物品。
【０１１５】
第４項：第２の一連の突起は、第１の方向において減少する断面積を含む、前記項のいずれかのフットウェア物品。
【０１１６】
第５項：第１の一連の突起及び第２の一連の突起は、継続的に先細の外面を含む、前記項のいずれかのフットウェア物品。
【０１１７】
第６項：先細の外面は、内面及び底面の他方に対向する各突起の丸みを帯びた遠位端で終端する、第５項のフットウェア物品。
【０１１８】
第７項：第１の一連の突起は、アウトソールのヒール部分に近接して配置され、第２の一連の突起は、アウトソールのフォアフット部分に近接して配置される、前記項のいずれかのフットウェア物品。
【０１１９】
第８項：第１の一連の突起は、第２の一連の突起よりも内面及び底面の一方から遠くに延在する、第６項のフットウェア物品。
【０１２０】
第９項：粒状物質は、発泡ビーズを含む、前記項のいずれかのフットウェア物品。
【０１２１】
第１０項：発泡ビーズは、実質的に球形を含む、第９項のフットウェア物品。
【０１２２】
第１１条：発泡ビーズは、おおよそ同じサイズ及び形状を含む、第９項のフットウェア物品。
【０１２３】
第１２項：発泡ビーズは、異なるサイズ及び形状の少なくとも１つを含む、第９項のフットウェア物品。
【０１２４】
第１３項：第１の一連の突起及び第２の一連の突起は、アウトソールのミッドフット部分に近接して配置されたボイドによって互いに離間されている、前記項のいずれかのフットウェア物品。
【０１２５】
第１４項：フットウェア物品は、アッパーとアッパーに取り付けられたアウトソールとを備え、アウトソールは、接地面と、アウターソールの反対側に配置された内面とを備えている。内面は、アッパーに向かう方向に延在する第１の一連の突起と、アッパーに向かって延在し、第１の一連の突起とは異なる高さを有する第２の一連の突起と、を含む。ミッドソールは、フットベッドと、フットベッドとはミッドソールの反対側に配置され、アウトソールの内面に対向してその間にキャビティを画定する底面とを有し、底面は、第１の一連の突起及び第２の一連の突起から離間されている。所定量の粒状物質はキャビティ内に配置される。
【０１２６】
第１５項：第１一連の突起は、アウトソールからミッドソールに向かって延在する方向に減少する断面積を含む、第１４項のフットウェア物品。
【０１２７】
第１６項：第２の一連の突起は、アウトソールからミッドソールに向かって延在する方向に減少する断面積を含む、前記項のいずれかのフットウェア物品。
【０１２８】
第１７条：第１の一連の突起及び第２の一連の突起は、継続的に先細の外面を含む、前記項のいずれかのフットウェア物品。
【０１２９】
第１８項：先細の外面は、ミッドソールの底面に対向する各突起の丸みを帯びた遠位端で終端する、第１７項のフットウェア物品。
【０１３０】
第１９項：第１の一連の突起は、アウトソールのヒール部分に近接して配置され、第２の一連の突起は、アウトソールのフォアフット部分に近接して配置される、前記項のいずれかのフットウェア物品。
【０１３１】
第２０項：第１の一連の突起は、第２の一連の突起よりもアウトソールの内面から遠くに延在する、第１９項に記載のフットウェア物品。
【０１３２】
第２１条：粒状物質は、発泡ビーズを含む、前記項のいずれかのフットウェア物品。
【０１３３】
第２２項：発泡ビーズは、実質的に球形を含む、第２１項のフットウェア物品。
【０１３４】
第２３項：発泡ビーズは、略同じ大きさ及び形状を含む、第２１項のフットウェア物品。
【０１３５】
第２４項：発泡ビーズは、異なるサイズ及び形状の少なくとも１つを含む、第２１項のフットウェア物品。
【０１３６】
第２５項：第１の一連の突起及び第２の一連の突起は、アウトソールのミッドフット部分に近接して配置されたボイドによって互いに離間されている、前記項のいずれかのフットウェア物品。
【０１３７】
第２６項：フットウェア物品は、アッパー及びミッドソールを備えており、ミッドソールは、フットベッドと、フットベッドとはミッドソールの反対側に配置された底面とを有する。底面は、アッパーから離れる方向に延在する第１の一連の突起と、アッパーから離れて延在し、第１の一連の突起とは異なる高さを有する第２の一連の突起とを含む。アウトソールはアッパーに取り付けられ、接地面と、接地面とはアウトそーうの反対側に配置された内面と、を含む。内面は、ミッドソールの底面に対向しており、底面と協働してその間にキャビティを画定し、かつ、第１の一連の突起及び第２の一連の突起から離間している。所定量の粒状物質はキャビティ内に配置される。
【０１３８】
第２７項：第１の一連の突起は、ミッドソールからアウトソールに向かって延在する方向に減少する断面積を含む、第２６項のフットウェア物品。
【０１３９】
第２８項：第２一連の突起は、ミッドソールからアウトソールに向かって延在する方向に減少する断面積を含む、前記項のいずれかのフットウェア物品。
【０１４０】
第２９条：第１の一連の突起及び第２の一連の突起は、常に先細の外面を含む、前記項のいずれかのフットウェア物品。
【０１４１】
第３０項：先細の外面は、アウトソールの内面に対向する各突起の丸みを帯びた遠位端で終端する、第２９項のフットウェア物品。
【０１４２】
第３１項：第１の一連の突起は、アウトソールのヒール部分に対向し、第２の一連の突起がアウトソールのフォアフット部分に対向する、前記項のいずれかのフットウェア物品。
【０１４３】
第３２項：第１の一連の突起は、第２の一連の突起よりもミッドソールの底面から遠くまで延在する、第３１項のフットウェア物品。
【０１４４】
第３３条：粒状物質は、発泡ビーズを含む、前記項のいずれかのフットウェア物品。
【０１４５】
第３４項：発泡ビーズは、実質的に球形を含む、第３３項のフットウェア物品。
【０１４６】
第３５項：発泡ビーズは、おおよそ同一のサイズ及び形状を含む、第３３項のフットウェア物品。
【０１４７】
第３６項：発泡ビーズは、異なるサイズ及び形状の少なくとも１つを含む、第３３項のフットウェア物品。
【０１４８】
第３７項：第１の一連の突起及び第２の一連の突起は、アウトソールのミッドフット部分に対向するボイドによって互いに離間されている、前記項のいずれかのフットウェア物品。
【０１４９】
フットウェア物品を製造する方法であり、方法は、フットベッドとアウトソールとの間にキャビティを設けるステップと、フットベッド及びアウトソールの一方に第１の一連の突起を設けるステップであって、第１の一連の突起は、フットベッド及びアウトソールの他方に向かう第１の方向にいてキャビティ内に延在し、かつ、フットベッドとアウトソールとの他方から離間されている、ステップと、フットベッド及びアウトソールの一方に第２の一連の突起を設けるステップであって、第２の一連の突起は、フットベッドとアウトソールの他方に向かう第１の方向においてキャビティ内に延在し、かつ、フットベッドとアウトソールの他方から離間されおり、かつ、第１の一連の突起とは異なる高さを有しているステップと、キャビティに所定量の粒状物質を供給するステップと、を備える。
【０１５０】
第１の一連の突起及び第２の一連の突起をフットベッド及びアウトソールの一方に設けるステップは、第１の一連の突起及び第２の一連の突起をアウトソールに設けるステップを含む、第３８項の方法。
【０１５１】
第４０項：キャビティに所定量の粒状物質を提供するステップは、所定量の粒状物質を第１の一連の突起の基部の周り及び第２の一連の突起の基部の周りに供給するステップを含む、第３９項の方法。
【０１５２】
第４１項：フットベッド及びアウトソールの一方に第１の一連の突起を設けるステップは、第１の一連の突起に、他方に向かう方向において減少する断面積を設けるステップを含む、前記項のいずれかの方法。
【０１５３】
第４２項：フットベッド及びアウトソールの一方に第２の一連の突起を設けるステップは、第２の一連の突起に、他方に向かう方向において減少する断面積を設けるステップを含む、上記項のいずれかの方法。
【０１５４】
第４３項：フットベッド及びアウトソールの一方に第１の一連の突起及び第２の一連の突起を設けるステップは、第１の一連の突起及び第２の一連の突起に継続的に先細の外面を設けるステップを含む、上記項のいずれかの方法。
【０１５５】
第４４項：フットベッド及びアウトソールの一方に第１の一連の突起及び第２の一連の突起を設けるステップは、アウトソールのヒール部分に近接して第１の一連の突起を、かつ、アウトソールのフォアフット部分に近接して第２の一連の突起を設けるステップを含む、上記項のいずれかの方法。
【０１５６】
第４５項：アウトソールのヒール部に近接して第１の一連の突起を設け、アウトソールのフォアフット部に近接して第２の一連の突起を設けるステップは、第１の一連の突起を、第２の一連の突起よりも遠くに延在させるステップを含む、第４４項の方法。
【０１５７】
第４６項：キャビティに所定量の粒状物質を供給するステップは、キャビティに所定量の発泡ビーズを供給するステップを含む、第４６項の方法。
【０１５８】
第４７項：キャビティに所定量の発泡ビーズを提供するステップは、実質的に球形の形状を有する所定量の発泡ビーズをキャビティに供給するステップを含む、第４６項の方法。
【０１５９】
第４８項：キャビティに所定量の発泡ビーズを供給するステップは、キャビティに略同じ大きさ及び形状を含む所定量の発泡ビーズを供給するステップを含む、第４６項の方法。
【０１６０】
第４９項：キャビティに所定量の発泡ビーズを供給するステップは、キャビティに、異なるサイズ及び形状の少なくとも１つを含む所定量の発泡ビーズを供給するステップを含む、第４６項の方法。
【０１６１】
第５０項：フットベッド及びアウトソールの一方に第１の一連の突起及び第２の一連の突起を設けるステップは、アウトソールのミッドフット部分に近接して、第１の一連の突起と第２の一連の突起との間にボイドを設けるステップを含む、上記項のいずれかの方法。
【０１６２】
前述の説明は、例示及び説明のために提供されたものである。網羅的であること、または開示を限定することを意図するものではない。特定の構成の個々の要素または特徴は、一般的にその特定の構成に限定されず、適用可能であれば、交換可能であり、特に図示または説明されていない場合でも選択された構成で使用することができる。同じことは、多くの点で変化し得る。そのような変形は、開示からの逸脱とみなされるべきではなく、そのような変更のすべては、本開示の範囲内に含まれることが意図される。
【符号の説明】
【０１６３】
１０  フットウェア（物品）
１２  フォアフット部分
１４  ミッドフット部分
１６  ヒール部分
１８  外側面
２０  内側面
１００  アッパー
１０２  内部ボイド
１０２  ボイド
１０４  履口
１０６  ファスナ
１１０  タン
２００  ソール構造
２１０  アウトソール
２１２  接地面
２１３  突起、ボトムリッジ
２１３  ボトムリッジ
２１４  内面
２１５  突起、アッパーリッジ
２２０  ミッドソール
２２２  底面
２２４  フットベッド
２２６  ステッチング
２２８  インソール
２３０  側壁
２４０  キャビティ
３００  突起、突起プレート
３１０  突起、リッジ
３１２  基部
３１４  遠位端
３２０  突起
３２２  基部
３２４  遠位端
３２６  遠位端
３３０  ボイド
３４０  突起
３５０  粒状物質
４００  房状ケーシング
４０２  第１の端部
４０４  第２の端部
４４０  ポケット
４４２  溝
４４３  溝
４４４  溝
４４６  溝
５００  クッション層
５１０  ボトムリッジ
５１２  フォアフット領域
５１４  ミッドフット領域
５１５  アッパーリッジ
５１６  ヒール領域
６００  流体充填チャンバ
９００  基部
９０２  区画
９１２  フォアフット領域
１３０２  フォアフット領域
１３０４  ミッドフット領域
１３０６  ヒール領域
１３５０  ケーシング
１３５２  底面
１３５４  上面
１７１８  外側周辺領域
１７２０  内側周辺領域
１７２２  内部領域
１８１８  外側周辺領域
１８２０  内側領域
１８２２  内部領域
２０００  開口部、容器
２００１  開口部、容器
２００２  開口部、容器
２００３  開口部、容器
２００４  開口部、容器
２００５  開口部、容器
２００６  開口部、容器
【図１】
2020179262.tif 000003
【図２】
2020179262.tif 000004
【図３】
2020179262.tif 000005
【図４】
2020179262.tif 000006
【図５】
2020179262.tif 000007
【図６】
2020179262.tif 000008
【図７】
2020179262.tif 000009
【図８】
2020179262.tif 000010
【図９】
2020179262.tif 000011
【図１０】
2020179262.tif 000012
【図１１】
2020179262.tif 000013
【図１２】
2020179262.tif 000014
【図１３】
2020179262.tif 000015
【図１４】
2020179262.tif 000016
【図１５】
2020179262.tif 000017
【図１６】
2020179262.tif 000018
【図１７】
2020179262.tif 000019
【図１８】
2020179262.tif 000020
【図１９】
2020179262.tif 000021
【図２０】
2020179262.tif 000022
【図２１】
2020179262.tif 000023
【図２２】
2020179262.tif 000024
【図２３】
2020179262.tif 000025
【図２４】
2020179262.tif 000026
【図２５】
2020179262.tif 000027
【図２６】
2020179262.tif 000028
【図２７】
2020179262.tif 000029
【図２８】
2020179262.tif 000030
【図２９】
2020179262.tif 000031
【図３０】
2020179262.tif 000032
【図３１】
2020179262.tif 000033
【図３２】
2020179262.tif 000034
【図３３】
2020179262.tif 000035
【図３４】
2020179262.tif 000036
【図３５】
2020179262.tif 000037
【図３６】
2020179262.tif 000038
【図３７】
2020179262.tif 000039
【外国語明細書】
2020179262000001.pdf